(57)【要約】  この出願は、端末装置の無線能力の変化を処理するための方法及び装置を提供する。当該方法は、アクセスネットワーク装置により、指示情報を受信するステップであり、アクセスネットワーク装置は、端末装置の無線能力情報を記憶し、指示情報は、端末装置の無線能力が変化したことを示すために使用されるか、或いは、アクセスネットワーク装置から端末装置の現在の無線能力を要求するために使用される、ステップと、アクセスネットワーク装置により、指示情報に従って端末装置の現在の無線能力情報を取得するステップとを含む。この出願によれば、一時停止状態のUEの無線能力が変化したときに実行される無線制御リソース接続の通信効率が改善できる。
2021534659.tif 000002
【特許請求の範囲】
【請求項１】
端末装置の無線能力の変化を処理するための方法であって、
アクセスネットワーク装置により、指示情報を受信するステップであり、前記アクセスネットワーク装置は、端末装置の無線能力情報を記憶し、前記指示情報は、前記端末装置の無線能力が変化したことを示すために使用されるか、或いは、前記アクセスネットワーク装置から前記端末装置の現在の無線能力を要求するために使用される、ステップと、
前記アクセスネットワーク装置により、前記指示情報に従って前記端末装置の無線能力情報を取得するステップと
を含む方法。
【請求項２】
アクセスネットワーク装置により、指示情報を受信するステップは、
前記アクセスネットワーク装置により、前記端末装置により送信された第1のメッセージを受信するステップであり、前記第1のメッセージは、無線リソース制御接続を再開することを要求するために使用され、前記第1のメッセージは前記指示情報を含む、ステップ、又は
前記アクセスネットワーク装置により、前記端末装置により送信された第2のメッセージを受信するステップであり、前記第2のメッセージは、無線リソース制御接続再開が完了したことを示すために使用され、前記第2のメッセージは前記指示情報を含む、ステップ、又は
前記アクセスネットワーク装置により、前記端末装置により送信された第3のメッセージを受信するステップであり、前記第3のメッセージは、無線リソース制御接続が確立されたことを示すために使用され、前記第3のメッセージは前記指示情報を含む、ステップ
を含む、請求項１に記載の方法。
【請求項３】
アクセスネットワーク装置により、指示情報を受信するステップは、
前記アクセスネットワーク装置により、コアネットワーク装置により送信された前記指示情報を受信するステップであり、前記指示情報は、前記端末装置の前記無線能力が変化したことを示すために使用される、ステップと、
前記アクセスネットワーク装置により、前記指示情報に従って、前記アクセスネットワーク装置により記憶されている前記無線能力情報を更新するステップと
を含む、請求項１に記載の方法。
【請求項４】
前記指示情報が、前記アクセスネットワーク装置から前記端末装置の前記現在の無線能力を要求するために使用されるとき、当該方法は、
コアネットワーク装置により、前記指示情報を送信し、前記アクセスネットワーク装置により、更新指示を受信するステップであり、前記更新指示は、前記アクセスネットワーク装置に対して、前記端末装置の前記無線能力情報を更新するように命令するために使用される、ステップを更に含む、請求項１に記載の方法。
【請求項５】
当該方法は、
前記アクセスネットワーク装置により、前記アクセスネットワーク装置が前記端末装置から前記無線能力情報を取得する前に記憶されている前記端末装置の前記無線能力情報を削除するステップを更に含む、請求項１乃至４のうちいずれか１項に記載の方法。
【請求項６】
前記無線能力は、前記端末装置によりサポートされるシステム情報又は送受信能力のうち少なくとも1つを含む、請求項１乃至５のうちいずれか１項に記載の方法。
【請求項７】
端末装置の無線能力の変化を処理するための方法であって、
端末装置により、指示情報をアクセスネットワーク装置に送信するステップであり、前記指示情報は、前記端末装置の無線能力が変化したことを示すために使用されるか、或いは、前記アクセスネットワーク装置に対して、前記端末装置の無線能力情報を更新するように命令するために使用される、ステップを含む方法。
【請求項８】
端末装置により、指示情報をアクセスネットワーク装置に送信するステップは、
前記端末装置により、第1のメッセージを前記アクセスネットワーク装置に送信するステップであり、前記第1のメッセージは、無線リソース制御接続を再開することを要求するために使用され、前記第1のメッセージは前記指示情報を含む、ステップ、又は
前記端末装置により、第2のメッセージを前記アクセスネットワーク装置に送信するステップであり、前記第2のメッセージは、無線リソース制御接続再開が完了したことを示すために使用され、前記第2のメッセージは前記指示情報を含む、ステップ、又は
前記端末装置により、第3のメッセージを前記アクセスネットワーク装置に送信するステップであり、前記第3のメッセージは、無線リソース制御接続が確立されたことを示すために使用され、前記第3のメッセージは前記指示情報を含む、ステップ
を含む、請求項７に記載の方法。
【請求項９】
前記端末装置により、第1のメッセージを前記アクセスネットワーク装置に送信する時点において、当該方法は、
前記端末装置により、シグナリング無線ベアラ及びアクセス層のセキュリティを再開し、データ無線ベアラを再開するのをスキップするステップを更に含む、請求項８に記載の方法。
【請求項１０】
当該方法は、
前記端末装置により、前記アクセスネットワーク装置により送信されたデータ無線ベアラ構成を受信するステップと、
前記端末装置により、前記データ無線ベアラ構成に基づいて前記データ無線ベアラを再開するステップと
を更に含む、請求項９に記載の方法。
【請求項１１】
端末装置の無線能力の変化を処理するための方法であって、
端末装置により、前記端末装置が一時停止状態にあり且つ前記端末装置の無線能力が変化したこと、又は前記端末装置が無線リソース制御非アクティブ状態にあり且つ前記端末装置の無線能力が変化したことに基づいて、無線リソース制御接続確立メッセージを開始するステップを含む方法。
【請求項１２】
端末装置により、前記端末装置が一時停止状態にあり且つ前記端末装置の無線能力が変化したこと、又は前記端末装置が無線リソース制御非アクティブ状態にあり且つ前記端末装置の無線能力が変化したことに基づいて、無線リソース制御接続確立メッセージを開始するステップは、
前記端末装置の非アクセス層により、アクセス層に対して、前記無線リソース制御接続確立メッセージを開始するように命令するステップを含む、請求項１１に記載の方法。
【請求項１３】
前記端末装置は、無線リソース制御接続再開手順を開始するのをスキップする、請求項１１又は１２に記載の方法。
【請求項１４】
前記無線リソース制御接続確立メッセージは無線リソース再開識別情報を含む、請求項１１乃至１３のうちいずれか１項に記載の方法。
【請求項１５】
前記無線リソース制御接続確立メッセージは指示情報を更に含み、前記指示情報は、前記端末装置の前記無線能力が変化したことを示すために使用されるか、或いは、前記アクセスネットワーク装置から前記端末装置の現在の無線能力を要求するために使用される、請求項１４に記載の方法。
【請求項１６】
端末装置の無線能力の変化を処理するための方法であって、
コアネットワーク装置により、指示情報をアクセスネットワーク装置に送信するステップであり、前記指示情報は、端末装置の無線能力が変化したことを示すために使用されるか、或いは、前記アクセスネットワーク装置から端末装置の現在の無線能力を要求するために使用される、ステップを含む方法。
【請求項１７】
コアネットワーク装置により、指示情報をアクセスネットワーク装置に送信するステップは、
前記コアネットワーク装置により、前記端末装置が接続状態にあるとき、前記指示情報を前記アクセスネットワーク装置に送信するステップを含む、請求項１６に記載の方法。
【請求項１８】
当該方法は、
前記指示情報が前記アクセスネットワーク装置から前記端末装置の前記現在の無線能力を要求するために使用されるとき、前記コアネットワーク装置により、更新指示を前記アクセスネットワーク装置に送信するステップであり、前記更新指示は、前記アクセスネットワーク装置に対して、前記端末装置の無線能力情報を更新するように命令するために使用される、ステップを更に含む、請求項１６又は１７に記載の方法。
【請求項１９】
前記指示情報が前記端末装置の前記無線能力が変化したことを示すために使用されるとき、前記指示情報は、前記アクセスネットワーク装置に対して、前記指示情報に従って前記端末装置の前記無線能力を更新するように命令するために更に使用される、請求項１６又は１７に記載の方法。
【請求項２０】
端末装置の無線能力の変化を処理するためのアクセスネットワーク装置であって、
指示情報を受信するように構成されたトランシーバモジュールであり、前記アクセスネットワーク装置は、端末装置の無線能力情報を記憶し、前記指示情報は、前記端末装置の無線能力が変化したことを示すために使用されるか、或いは、当該アクセスネットワーク装置から前記端末装置の現在の無線能力を要求するために使用される、トランシーバモジュールと、
前記指示情報に従って前記端末装置の無線能力情報を取得するように構成された処理モジュールと
を含むアクセスネットワーク装置。
【請求項２１】
前記トランシーバモジュールは、
前記端末装置により送信された第1のメッセージを受信し、前記第1のメッセージは、無線リソース制御接続を再開することを要求するために使用され、前記第1のメッセージは前記指示情報を含むか、或いは
前記端末装置により送信された第2のメッセージを受信し、前記第2のメッセージは、無線リソース制御接続再開が完了したことを示すために使用され、前記第2のメッセージは前記指示情報を含むか、或いは
前記端末装置により送信された第3のメッセージを受信し、前記第3のメッセージは、無線リソース制御接続が確立されたことを示すために使用され、前記第3のメッセージは前記指示情報を含む、
ように具体的に構成される、請求項２０に記載のアクセスネットワーク装置。
【請求項２２】
前記トランシーバモジュールは、コアネットワーク装置により送信された前記指示情報を受信するように更に構成され、前記指示情報は、当該アクセスネットワーク装置から前記端末装置の前記現在の無線能力を要求するために使用され、
前記処理モジュールは、前記指示情報に従って、当該アクセスネットワーク装置により記憶されている前記無線能力情報を更新するように更に構成される、請求項２０に記載のアクセスネットワーク装置。
【請求項２３】
前記トランシーバモジュールは、更新指示を受信するように更に構成され、前記更新指示は、当該アクセスネットワーク装置に対して、前記端末装置の前記無線能力情報を更新するように命令するために使用され、前記指示情報はコアネットワーク装置により送信される、請求項２０に記載のアクセスネットワーク装置。
【請求項２４】
前記処理モジュールは、前記処理モジュールが前記端末装置から前記無線能力情報を取得する前に記憶されている前記端末装置の前記無線能力情報を削除するように更に構成される、請求項２０乃至２３のうちいずれか１項に記載のアクセスネットワーク装置。
【請求項２５】
前記無線能力は、前記端末装置によりサポートされるシステム情報又は送受信能力のうち少なくとも1つを含む、請求項２０乃至２４のうちいずれか１項に記載のアクセスネットワーク装置。
【請求項２６】
端末装置の無線能力の変化を処理するための端末装置であって、
指示情報をアクセスネットワーク装置に送信するように構成されたトランシーバモジュールであり、前記指示情報は、当該端末装置の無線能力が変化したことを示すために使用されるか、或いは、前記アクセスネットワーク装置に対して、当該端末装置の無線能力情報を更新するように命令するために使用される、トランシーバモジュールを含む端末装置。
【請求項２７】
前記トランシーバモジュールは、
第1のメッセージを前記アクセスネットワーク装置に送信し、前記第1のメッセージは、無線リソース制御接続を再開することを要求するために使用され、前記第1のメッセージは前記指示情報を含むか、或いは
第2のメッセージを前記アクセスネットワーク装置に送信し、前記第2のメッセージは、無線リソース制御接続再開が完了したことを示すために使用され、前記第2のメッセージは前記指示情報を含むか、或いは
第3のメッセージを前記アクセスネットワーク装置に送信し、前記第3のメッセージは、無線リソース制御接続が確立されたことを示すために使用され、前記第3のメッセージは前記指示情報を含む、
ように具体的に構成される、請求項２６に記載の端末装置。
【請求項２８】
前記処理モジュールは、シグナリング無線ベアラ及びアクセス層のセキュリティを再開し、データ無線ベアラを再開するのをスキップするように更に構成される、請求項２７に記載の端末装置。
【請求項２９】
前記トランシーバモジュールは、前記アクセスネットワーク装置により送信されたデータ無線ベアラ構成を受信するように更に構成され、
前記処理モジュールは、前記データ無線ベアラ構成に基づいて前記データ無線ベアラを再開するように更に構成される、請求項２８に記載の端末装置。
【請求項３０】
端末装置の無線能力の変化を処理するための端末装置であって、
当該端末装置が一時停止状態にあり且つ当該端末装置の無線能力が変化したこと、又は当該端末装置が無線リソース制御非アクティブ状態にあり且つ当該端末装置の無線能力が変化したことに基づいて、無線リソース制御接続確立メッセージを開始するように構成された処理モジュールを含む端末装置。
【請求項３１】
前記処理モジュールは、
当該装置の非アクセス層を使用することにより、当該装置のアクセス層に対して、前記無線リソース制御接続確立メッセージを開始するように命令するように具体的に構成される、請求項３０に記載の端末装置。
【請求項３２】
前記処理モジュールは、無線リソース制御接続再開手順を開始しないことを決定するように構成される、請求項３０又は３１に記載の端末装置。
【請求項３３】
前記無線リソース制御接続確立メッセージは無線リソース再開識別情報を含む、請求項３０乃至３２のうちいずれか１項に記載の端末装置。
【請求項３４】
前記無線リソース制御接続確立メッセージは指示情報を更に含み、前記指示情報は、当該端末装置の前記無線能力が変化したことを示すために使用されるか、或いは、前記アクセスネットワーク装置から当該端末装置の現在の無線能力を要求するために使用される、請求項３３に記載の端末装置。
【請求項３５】
端末装置の無線能力の変化を処理するためのコアネットワーク装置であって、
指示情報をアクセスネットワーク装置に送信するように構成されたトランシーバモジュールであり、前記指示情報は、端末装置の無線能力が変化したことを示すために使用されるか、或いは、前記アクセスネットワーク装置から前記端末装置の現在の無線能力を要求するために使用される、トランシーバモジュールを含むコアネットワーク装置。
【請求項３６】
当該コアネットワーク装置は処理モジュールを更に含み、前記処理モジュールは、前記端末装置が接続状態にあるとき、前記トランシーバモジュールを使用することにより、前記指示情報を前記アクセスネットワーク装置に送信するように構成される、請求項３５に記載のコアネットワーク装置。
【請求項３７】
前記指示情報が前記アクセスネットワーク装置から前記端末装置の前記現在の無線能力を要求するために使用されるとき、前記トランシーバモジュールは、更新指示を前記アクセスネットワーク装置に送信するように構成され、前記更新指示は、前記アクセスネットワーク装置に対して、前記端末装置の無線能力情報を更新するように命令するために使用される、請求項３５又は３６に記載のコアネットワーク装置。
【請求項３８】
前記指示情報が前記端末装置の前記無線能力が変化したことを示すために使用されるとき、前記指示情報は、前記アクセスネットワーク装置に対して、前記指示情報に従って前記端末装置の前記無線能力を更新するように命令するために更に使用される、請求項３５又は３６に記載のコアネットワーク装置。
【請求項３９】
請求項１１乃至１５のうちいずれか１項に記載の方法を実行するように構成された装置。
【請求項４０】
アクセスネットワーク装置と、端末装置とを含む通信システムであって、
前記端末装置は、請求項１１乃至１５のうちいずれか１項に記載の方法を実行するように構成され、
前記アクセスネットワーク装置は、前記端末装置により送信された無線リソース制御接続確立要求メッセージを受信するように構成される、通信システム。
【請求項４１】
コンピュータプログラムを記憶したコンピュータ読み取り可能記憶媒体であって、
前記コンピュータプログラムがコンピュータ上で実行されたとき、前記コンピュータは、請求項１乃至６のうちいずれか１項に記載の方法を実行することが可能になるか、或いは、前記コンピュータは、請求項７乃至１０のうちいずれか１項に記載の方法を実行することが可能になるか、或いは、前記コンピュータは、請求項１１乃至１５のうちいずれか１項に記載の方法を実行することが可能になるか、或いは、前記コンピュータは、請求項１６乃至１９のうちいずれか１項に記載の方法を実行することが可能になる、コンピュータ読み取り可能記憶媒体。
【請求項４２】
チップシステムであって、
命令を記憶するように構成されたメモリと、
前記メモリから前記命令を呼び出し、前記命令を実行するように構成されたプロセッサであり、それにより、当該チップシステムが搭載された通信デバイスが請求項１乃至６のうちいずれか１項に記載の方法を実行することが可能になるか、或いは、前記通信デバイスが請求項７乃至１０のうちいずれか１項に記載の方法を実行することが可能になるか、或いは、前記通信デバイスが請求項１１乃至１５のうちいずれか１項に記載の方法を実行することが可能になるか、或いは、前記通信デバイスが請求項１６乃至１９のうちいずれか１項に記載の方法を実行することが可能になる、プロセッサと
を含むチップシステム。
【請求項４３】
コンピュータプログラムを含むコンピュータプログラム製品であって、
前記コンピュータプログラムがコンピュータ上で実行されたとき、前記コンピュータは、請求項１乃至６のうちいずれか１項に記載の方法を実行することが可能になるか、或いは、前記コンピュータは、請求項７乃至１０のうちいずれか１項に記載の方法を実行することが可能になるか、或いは、前記コンピュータは、請求項１１乃至１５のうちいずれか１項に記載の方法を実行することが可能になるか、或いは、前記コンピュータは、請求項１６乃至１９のうちいずれか１項に記載の方法を実行することが可能になる、コンピュータプログラム製品。
【発明の詳細な説明】
【技術分野】
【０００１】
［関連出願への相互参照］
この出願は、2018年8月13日に中国特許庁に出願された「METHOD  FOR  PROCESSING  CHANGE  IN  RADIO  CAPABILITY  OF  TERMINAL  APPARATUS  AND  APPARATUS」という名称の中国特許出願第201810918770.2号に対する優先権を主張し、その内容を参照により援用する。
【０００２】
［技術分野］
この出願は、通信技術の分野に関し、より具体的には、端末装置の無線能力の変化を処理するための方法及び装置に関する。
【背景技術】
【０００３】
セルラのモノのインターネット(cellular  internet  of  things,  CIoT)デバイスをより良くサポートするために、ユーザプレーン送信拡張技術が導入されている。UE及びネットワークがユーザプレーン最適化データ送信方式をサポートするとき、ネットワークは、接続一時停止(connection  suspend)手順を使用することにより、確立された接続を一時停止する。接続一時停止手順において、UEのコンテキスト及びキャリアのコンテキストは記憶され、UEはアイドル(Idle)状態に入る。この場合、UEがデータを送信する必要があるとき、UEは、サービス要求(service  request)手順を開始することなく、接続状態に入るために接続再開(connection  resume)手順を使用することにより、接続を迅速に再開してもよい。
【０００４】
無線リソース一時停止(RRC  suspend)状態では、UEがアイドル状態にあるとき、UEの無線能力は変化する可能性があるが、アクセスネットワーク装置上に保持されたコンテキストは、UEの無線能力が変化する前のコンテキストである。UEが接続を再開したとき、アクセスネットワーク装置は、UEの無線能力が変化する前に保持されたコンテキストに基づいて無線リソースを再開する。その結果、無線リソースの再開に障害が引き起こされる可能性がある。代替として、アクセスネットワーク装置が、UEの無線能力が変化する前に保持されたコンテキストに基づいて無線リソースを正常に再開した場合、アクセスネットワーク装置は、UEの無線能力が変化する前にアクセスネットワーク装置により記憶されているコンテキストを削除する必要がある。しかし、現在では、現在の一時停止/再開(Suspend/Resume)機構において、コアネットワーク装置は、UEのコンテキストを削除するようにアクセスネットワーク装置に命令しない。したがって、一時停止状態のUEの無線能力の変化により引き起こされる異常通信及び効率低減の問題が解決される必要がある。
【発明の概要】
【０００５】
この出願は、UEの無線能力を更新し、UEの無線能力が変化する前のアクセスネットワーク装置に記憶されているコンテキストにより占有されるリソースを解放し、それにより、異常通信を回避して通信効率を改善するための、端末装置の無線能力の変化を処理するための方法及び装置を提供する。
【０００６】
第1の態様によれば、端末装置の無線能力の変化を処理するための方法が提供される。当該方法は、
アクセスネットワーク装置により、指示情報を受信するステップであり、アクセスネットワーク装置は、端末装置の無線能力情報を記憶し、指示情報は、端末装置の無線能力が変化したことを示すために使用されるか、或いは、アクセスネットワーク装置から端末装置の現在の無線能力を要求するために使用される、ステップと、
アクセスネットワーク装置により、指示情報に従って端末装置の現在の無線能力情報を取得するステップと
を含む。
【０００７】
この出願のこの実施形態では、一時停止状態のUEの無線能力が変化したとき、アクセスネットワーク装置は、指示情報に従って端末装置の現在の無線能力を要求し、それにより、端末装置は無線リソース接続を正常に再開でき、それにより、通信効率を改善する。
【０００８】
アクセスネットワーク装置に既に記憶されている端末装置の無線能力は、端末装置の第1の無線能力、具体的には、端末装置が一時停止状態又は無線リソース制御非アクティブ(RRC  Inactive)状態に入るときに記憶されたUEのコンテキスト内の無線能力情報でもよい点に留意すべきである。アクセスネットワーク装置は、指示情報を受信する。指示情報は、端末装置の無線能力が変化したことを示し、すなわち、指示情報は、端末装置の無線能力の変化を示してもよい。代替として、指示情報は、アクセスネットワーク装置に対して、端末装置の無線能力を更新又は要求するように命令し、すなわち、アクセスネットワーク装置に対して、端末装置の第1の無線能力を更新するように、或いは、端末装置の現在の無線能力を要求するように命令する。第1の無線能力は、端末装置によりサポートされる無線アクセス技術情報、例えば、エネルギーレベル及び周波数帯域のような情報を含んでもよい。
【０００９】
アクセスネットワーク装置がアクセスネットワーク装置内の第1の無線能力情報を処理することは、アクセスネットワーク装置が第1の無線能力情報を更新することでもよく、或いは、アクセスネットワーク装置が第1の無線能力情報を削除することでもよいことが理解されるべきである。
【００１０】
第1の態様を参照して、第1の態様のいくつかの実現方式では、アクセスネットワーク装置により、指示情報を受信するステップは、
アクセスネットワーク装置により、端末装置により送信された第1のメッセージを受信するステップであり、第1のメッセージは、一時停止状態の端末装置の無線リソースを再開することを要求するために使用され、第1のメッセージは指示情報を含む、ステップを含む。
【００１１】
例えば、第1のメッセージは、無線リソース再開(RRC  Resume)手順における無線再開要求(RRC  connection  resume  request)メッセージでもよく、或いは、無線リソース再開手順において端末装置によりアクセスネットワーク装置に送信される他のメッセージでもよい。
【００１２】
第1の態様を参照して、第1の態様のいくつかの実現方式では、アクセスネットワーク装置により、指示情報を受信するステップは、
アクセスネットワーク装置により、端末装置により送信された第1のメッセージを受信するステップであり、第1のメッセージは、一時停止状態の端末装置の無線リソースを再開することを要求するために使用され、第1のメッセージは指示情報を含む、ステップを含む。
【００１３】
例えば、第2のメッセージは、無線リソース再開(RRC  Resume)手順における無線再開完了(RRC  connection  resume  complete)メッセージでもよく、或いは、無線リソース再開手順において端末装置によりアクセスネットワーク装置に送信される他のメッセージでもよい。
【００１４】
第1の態様を参照して、第1の態様のいくつかの実現方式では、アクセスネットワーク装置により、指示情報を受信するステップは、
アクセスネットワーク装置により、端末装置により送信された第3のメッセージを受信するステップであり、第3のメッセージは、無線リソース制御接続が確立されたことを示すために使用され、第3のメッセージは、無線リソース制御を再開するために使用される識別情報を含む、ステップを含む。
【００１５】
例えば、第3のメッセージは、無線リソース制御接続確立手順における無線リソース制御接続確立完了メッセージ、又は無線リソース制御接続確立手順における他のメッセージでもよい。この出願のこの実施形態では、アクセスネットワーク装置は、端末装置により送信された指示情報を受信し、指示情報は、端末装置の第1の無線能力が変化したことを示すために使用される情報でもよく、或いは、指示情報は、アクセスネットワーク装置に対して、端末装置の第1の無線能力情報を更新するように命令するために使用される情報でもよいことが理解されるべきである。第1の無線能力は、端末装置によりサポートされる無線アクセス技術情報、例えば、エネルギーレベル及び周波数帯域のような情報を含んでもよい。
【００１６】
第1の態様を参照して、第1の態様のいくつかの実現方式では、アクセスネットワーク装置により、指示情報を受信するステップは、
アクセスネットワーク装置により、コアネットワーク装置により送信された指示情報を受信するステップであり、指示情報は、端末装置の無線能力が変化したことを示す、ステップと、
アクセスネットワーク装置により、指示情報に従って、アクセスネットワーク装置により記憶されている無線能力情報を更新するステップと
を含む。
【００１７】
第1の態様を参照して、第1の態様のいくつかの実現方式では、指示情報が、アクセスネットワーク装置から端末装置の現在の無線能力を要求するために使用されるとき、当該方法は、
コアネットワーク装置により、指示情報を送信し、アクセスネットワーク装置により、更新指示を受信するステップであり、更新指示は、アクセスネットワーク装置に対して、端末装置の無線能力情報を更新するように命令するために使用される、ステップを更に含む。
【００１８】
第1の態様を参照して、第1の態様のいくつかの実現方式では、アクセスネットワーク装置により、指示情報を受信するステップは、
アクセスネットワーク装置により、コアネットワーク装置により送信された第4のメッセージを受信するステップであり、第4のメッセージは指示情報を含む、ステップを含む。
【００１９】
例えば、アクセスネットワーク装置は、コアネットワーク装置により送信された第4のメッセージを受信する。第4のメッセージは、アクセスネットワーク装置に対して、アクセスネットワーク装置内の第1の無線能力情報を削除又は更新するように命令するために使用される。第4のメッセージは指示情報を含む。コアネットワーク装置は、モビリティ管理エンティティ又はアクセス及びモビリティ管理機能エンティティである。
【００２０】
任意選択で、第4のメッセージは、アクセスネットワーク装置がUEの記憶されている古いコンテキストを削除又は更新する必要があることを示すために、コアネットワーク装置により使用される新たなメッセージでもよい。
【００２１】
任意選択で、第4のメッセージは、アクセスネットワーク装置がUEの記憶されている古いコンテキストを削除又は更新する必要があることを示すために、コアネットワーク装置により使用される既存のメッセージでもよい。
【００２２】
例えば、コアネットワーク装置は、情報要素を接続確立指示(connection  establishment  indication)メッセージに追加することにより、アクセスネットワーク装置に対して、UEの古いコンテキストを削除又は更新するように命令する。
【００２３】
任意選択で、第4のメッセージは、アクセスネットワーク装置がUEの記憶されている古いコンテキストを更新又は削除する必要があることを示すために、コアネットワーク装置によりアクセスネットワーク装置に送信されるダウンリンク非アクセス層(downlink  NAS  transport)メッセージ又は端末装置転送(UE  information  transfer)メッセージでもよい。
【００２４】
この出願のこの実施形態では、アクセスネットワーク装置は、端末装置により送信された指示情報を受信することが理解されるべきである。指示情報は、端末装置の第1の無線能力が変化したことを示すために使用されてもよく、或いは、指示情報は、アクセスネットワーク装置に対して、端末装置の第1の無線能力情報を更新するように命令するために使用されてもよく、或いは、指示情報は、アクセスネットワーク装置に対して、端末装置の第1の無線能力情報を削除するように命令するために使用されてもよい。第1の無線能力は、端末装置によりサポートされる無線アクセス技術、例えば、エネルギーレベル及び周波数帯域のような情報を示してもよい。
【００２５】
第1の態様を参照して、第1の態様のいくつかの実現方式では、指示情報がアクセスネットワーク装置から端末装置の現在の無線能力を要求するために使用されるとき、当該方法は、アクセスネットワーク装置により、更新指示を受信するステップであり、更新指示は、アクセスネットワーク装置に対して、端末装置の無線能力情報を更新するように命令するために使用される、ステップを更に含む。
【００２６】
任意選択で、更新指示及び指示情報は同じメッセージで搬送される。
【００２７】
第1の態様を参照して、第1の態様のいくつかの実現方式では、アクセスネットワーク装置が、指示情報に従って端末装置から無線能力を要求した後に、当該方法は、
アクセスネットワーク装置により、端末装置から無線能力情報を受信するステップであり、無線能力情報は、端末装置の現在の無線能力を示す、ステップを更に含む。
【００２８】
例えば、アクセスネットワーク装置は、指示情報に従って無線能力要求メッセージを端末装置に送信し、アクセスネットワーク装置は、第2の無線能力に基づいて第1の無線能力情報を更新する。第2の無線能力は端末装置の現在の無線能力である。
【００２９】
例えば、アクセスネットワーク装置は、指示情報に従って端末装置からUEの無線能力を要求する。指示情報は、UEの無線能力を要求するためのトリガ条件として考えられてもよい。無線能力要求を受信した後に、端末装置は、UEの現在の無線能力、例えば、第2の無線能力をアクセスネットワーク装置に報告する。アクセスネットワーク装置は、第2の無線能力に基づいて、アクセスネットワーク装置に保持された第1の無線能力のコンテキスト情報を更新し、無線能力の更新されたコンテキスト情報をコアネットワーク装置に報告してもよい。
【００３０】
第1の無線能力情報を更新することは、第1の無線能力情報の一部を更新することでもよく、或いは、無線能力情報の全てを更新することでもよいことが理解されるべきである。
【００３１】
第1の態様を参照して、第1の態様のいくつかの実現方式では、当該方法は、
アクセスネットワーク装置により、アクセスネットワーク装置が端末装置から無線能力を要求する前に記憶されている無線能力を削除するステップを更に含む。
【００３２】
例えば、アクセスネットワーク装置は、指示情報に従って無線能力要求メッセージを端末装置に送信する。第2の無線能力は端末装置の現在の無線能力である。アクセスネットワーク装置は、第2の無線能力に基づいて第1の無線能力情報を削除する。第2の無線能力は端末装置の現在の無線能力である。
【００３３】
例えば、アクセスネットワーク装置は、指示情報に従って端末装置からUEの無線能力を要求する。指示情報は、UEの無線能力を要求するためのトリガ条件として考えられてもよい。無線能力要求を受信した後に、端末装置は、UEの現在の無線能力、例えば、第2の無線能力をアクセスネットワーク装置に報告する。アクセスネットワーク装置は、第2の無線能力に基づいて、アクセスネットワーク装置に保持された第1の無線能力のコンテキスト情報を削除してもよい。
【００３４】
第1の態様を参照して、第1の態様のいくつかの実現方式では、端末装置は、無線リソース一時停止状態又は無線リソース非アクティブ(RRC  Inactive)状態にある。端末装置がRRC  suspend状態又はRRC  inactive状態にあるとき、第1の無線能力が変化することが理解されるべきである。無線リソース接続を再開するとき、端末装置は、指示情報をアクセスネットワーク装置又はコアネットワーク装置に送信する。アクセスネットワーク装置は、指示情報に従って、アクセスネットワーク装置に保持されたUEの古いコンテキストを処理してもよい。古いコンテキストは、無線能力が変化する前のUEのコンテキストでもよい。
【００３５】
第1の態様を参照して、第1の態様のいくつかの実現方式では、第1の無線能力は、端末装置によりサポートされる無線アクセス技術を含む。
【００３６】
第1の態様を参照して、第1の態様のいくつかの実現方式では、無線能力は、端末装置によりサポートされるシステム情報又は送受信能力のうち少なくとも1つを含む。
【００３７】
例えば、システム情報は、バージョン情報又は周波数帯域情報を含んでもよい。
【００３８】
第2の態様によれば、端末装置の無線能力の変化を処理するための方法が提供される。当該方法は、
アクセスネットワーク装置により、無線リソース制御再開識別情報を受信するステップであり、アクセスネットワーク装置は、端末装置の無線能力情報を記憶し、無線リソース制御再開識別情報は、アクセスネットワーク装置に記憶されているUEのコンテキストを識別するために使用される、ステップと、
アクセスネットワーク装置により、識別情報に基づいてアクセスネットワーク装置内の端末装置のコンテキストを処理するステップと
を含む。
【００３９】
この出願のこの実施形態では、一時停止状態又はRRC  inactive状態のUEの無線能力が変化したとき、或いは、AS情報を記憶する場合に端末の無線能力が変化したとき、端末装置は、従来の無線リソース接続確立手順(RRC  connection  establishment)を開始し、アクセスネットワーク装置は、識別情報に基づいて、アクセスネットワーク装置に保持された端末装置のコンテキスト情報を処理し、それにより、端末装置は無線リソース接続を正常に再開でき、それにより、通信効率を改善する。
【００４０】
アクセスネットワーク装置に記憶されているUEの無線能力は、第1の無線能力であることが理解されるべきである。UEの無線能力は変化し、アクセスネットワーク装置は、無線リソース制御再開識別情報を受信し、識別情報に基づいてアクセスネットワーク装置内の端末装置のコンテキストを処理する。
【００４１】
第2の態様を参照して、第2の態様のいくつかの実現方式では、アクセスネットワーク装置により、識別情報に基づいてアクセスネットワーク装置内の端末装置のコンテキストを処理するステップは、
アクセスネットワーク装置により、アクセスネットワーク装置が端末装置から無線能力を要求する前に記憶されている無線能力を削除するステップ、又は
アクセスネットワーク装置により、指示メッセージを送信するステップであり、指示メッセージは、第2のアクセスネットワーク装置に対して、端末装置のコンテキストを削除するように命令するために使用され、第2のアクセスネットワーク装置は、端末装置が一時停止状態に入るときに端末装置によりアクセスされるアクセスネットワーク装置である、ステップと
を含む。
【００４２】
端末装置は、端末装置が一時停止状態にあるときに、新たなアクセスネットワーク装置、すなわち、第1のアクセスネットワーク装置のカバレッジに移動し、アクセスネットワークデバイス内のコンテキスト情報を保持する必要なく、従来の無線リソース接続確立手順(RRC  connection  establishment)を開始してもよいことが理解されるべきである。したがって、アクセスネットワーク装置は、リソースを解放するために、UEの保持されたコンテキスト情報を削除する必要がある。
【００４３】
第2の態様を参照して、第2の態様のいくつかの実現方式では、当該方法は、
アクセスネットワーク装置により、端末装置により送信された第3のメッセージを受信するステップであり、第3のメッセージは、無線リソース制御接続確立が完了したことを示すために使用され、第3のメッセージは指示情報を含む、ステップを更に含む。
【００４４】
例えば、第3のメッセージは、無線リソース制御接続確立手順における無線リソース制御接続確立完了メッセージ、又は無線リソース制御接続確立手順における他のメッセージでもよい。
【００４５】
この出願のこの実施形態では、UEは、RRC  resume手順を開始するのではなく、RRC  connection  establishment手順を直接開始してもよく、それにより、無線能力の変化により引き起こされるRRC  resume手順の障害を回避する。さらに、UE能力変化指示はRRC確立メッセージで搬送され、それにより、アクセスネットワーク装置及びコアネットワーク装置は、UEの無線能力の変化をより早く習得でき、変化を通知するためにTAU手順が実行される必要はない。無線リソース再開識別(Resume  ID)情報は、アクセスネットワーク装置に対して、UEの対応するコンテキストを削除するように命令するために、RRC  connection  establishment手順において搬送される。
【００４６】
第2の態様を参照して、第2の態様のいくつかの実現方式では、当該方法は、
アクセスネットワーク装置により、指示情報に従ってUEの無線能力要求を端末装置に送信するステップと、
アクセスネットワーク装置により、端末装置により報告されたUEの無線能力を受信するステップと
を更に含む。
【００４７】
例えば、アクセスネットワーク装置は、指示情報に従って端末装置からUEの無線能力を要求する。指示情報は、UEの無線能力を要求するためのトリガ条件として考えられてもよい。無線能力要求を受信した後に、端末装置は、UEの現在の無線能力、例えば、第2の無線能力をアクセスネットワーク装置に報告する。
【００４８】
第3の態様によれば、端末装置の無線能力の変化を処理するための方法が提供される。当該方法は、
端末装置により、指示情報をアクセスネットワーク装置に送信するステップであり、指示情報は、端末装置の無線能力が変化したことを示すか、或いは、アクセスネットワーク装置に対して、端末装置の無線能力を更新するように命令する、ステップを含む。
【００４９】
この出願のこの実施形態では、一時停止状態又はRRC  inactive状態のUEの無線能力が変化したとき、アクセスネットワーク装置は、指示情報に従って、アクセスネットワーク装置に保持された端末装置の無線能力のコンテキスト情報を処理し、それにより、端末装置は無線リソース接続を正常に再開でき、それにより、通信効率を改善する。
【００５０】
例えば、端末装置は、指示情報をアクセスネットワーク装置に送信する。指示情報は、第1の無線能力が変化したことを示すために使用される情報であるか、或いは、アクセスネットワーク装置に対して、端末装置の第1の無線能力情報を更新するように命令するために使用される情報である。第1の無線能力は、端末装置の無線能力が変化する前に端末装置によりサポートされる無線アクセス技術を示す。
【００５１】
端末装置が指示情報を送信する前に、端末装置は、指示情報を生成してもよく、或いは、指示情報を決定してもよいことが理解されるべきである。
【００５２】
第3の態様を参照して、第3の態様のいくつかの実現方式では、端末装置により、指示情報をアクセスネットワーク装置に送信するステップは、
端末装置により、第1のメッセージをアクセスネットワーク装置に送信するステップであり、第1のメッセージは、一時停止状態の端末装置の無線リソースを再開することを要求するために使用され、第1のメッセージは指示情報を含む、ステップを含む。
【００５３】
例えば、第1のメッセージは、無線リソース再開(RRC  Resume)手順における無線再開要求(RRC  connection  resume  request)メッセージでもよく、或いは、無線リソース再開手順において端末装置によりアクセスネットワーク装置に送信される他のメッセージでもよい。
【００５４】
第3の態様を参照して、第3の態様のいくつかの実現方式では、当該方法は、
端末装置により、第2のメッセージをアクセスネットワーク装置に送信するステップであり、第2のメッセージは、端末装置に対して、一時停止状態の端末装置の無線リソースの再開を完了するように命令するために使用され、第2のメッセージは指示情報を含む、ステップを更に含む。
【００５５】
例えば、第2のメッセージは、無線リソース再開(RRC  Resume)手順における無線再開完了(RRC  connection  resume  complete)メッセージでもよく、或いは、無線リソース再開手順において端末装置によりアクセスネットワーク装置に送信される他のメッセージでもよい。
【００５６】
第3の態様を参照して、第3の態様のいくつかの実現方式では、端末装置により、指示情報をアクセスネットワーク装置に送信するステップは、
端末装置により、第3のメッセージをアクセスネットワーク装置に送信するステップであり、第3のメッセージは、無線リソース制御接続が確立されたことを示すために使用され、第3のメッセージは識別情報を含む、ステップを含む。
【００５７】
例えば、第3のメッセージは、無線リソース制御接続確立手順における無線リソース制御接続確立完了メッセージ、又は無線リソース制御接続確立手順における他のメッセージでもよい。
【００５８】
この出願のこの実施形態では、アクセスネットワーク装置は、端末装置により送信された指示情報を受信し、指示情報は、端末装置の第1の無線能力が変化したことを示すために使用される情報でもよく、或いは、指示情報は、アクセスネットワーク装置に対して、端末装置の第1の無線能力情報を更新するように命令するために使用される情報でもよいことが理解されるべきである。第1の無線能力は、端末装置によりサポートされる無線アクセス技術情報、例えば、エネルギーレベル及び周波数帯域のような情報を示してもよい。
【００５９】
第3の態様を参照して、第3の態様のいくつかの実現方式では、端末装置により、第1のメッセージをアクセスネットワーク装置に送信するとき、当該方法は、
端末装置により、シグナリング無線ベアラ及びアクセス層のセキュリティを再開し、データ無線ベアラを再開するのをスキップするステップを更に含む。
【００６０】
例えば、第1の無線能力は、端末装置が一時停止状態にあるときに変化する。端末装置は、指示情報をアクセスネットワーク装置に送信する。端末装置がアクセスネットワーク装置の無線リソース接続再開(RRC  connection  resume)応答を受信したとき、端末装置は、SRB、DRB及びASの全てのセキュリティを同時に再開してもよく、UEはRRC接続状態に入る。代替として、端末装置は、SRB及びASのセキュリティを再開してもよく、UEは一時的にDRBを確立しない。
【００６１】
第3の態様を参照して、第3の態様のいくつかの実現方式では、当該方法は、
端末装置により、アクセスネットワーク装置により送信されたデータ無線ベアラ構成を受信するステップと、
端末装置により、データ無線ベアラ構成に基づいてデータ無線ベアラのセキュリティを再開するステップと
を更に含む。
【００６２】
端末装置がSRB及びASのセキュリティを再開し、UEが一時的にDRBを確立しないとき、アクセスネットワーク装置は、UEの現在の無線能力及び基地局の状態に基づいてUEのDRB構成を構成する点に留意すべきである。この場合、UEはDRBを再開し、UEはRRC接続状態に入る。
【００６３】
例えば、端末装置は、SRB及びASのセキュリティを再開してもよく、UEは一時的にDRBを確立せず、アクセスネットワーク装置は、UEの無線能力要求を端末装置に送信する。端末装置は、第2の無線能力のようなUEの無線能力をアクセスネットワーク装置に報告する。アクセスネットワーク装置は、第2の無線能力及びアクセスネットワークの状態に基づいてUEのDRBを構成し、UEは、アクセスネットワーク装置により構成されたDRBに基づいてDRBを再開する。
【００６４】
第4の態様によれば、端末装置の無線能力の変化を処理するための方法が提供される。当該方法は、
端末装置により、端末装置が一時停止状態にあり且つ端末装置の無線能力が変化したこと、又は端末装置が無線リソース制御非アクティブ状態にあり且つ端末装置の無線能力が変化したことに基づいて、無線リソース制御接続確立メッセージを開始するステップを含む。
【００６５】
この出願のこの実施形態では、一時停止状態のUEの無線能力が変化したとき、端末装置は、従来の無線リソース接続確立(RRC  connection  establishment)手順を開始し、アクセスネットワーク装置は、識別情報に基づいて、アクセスネットワーク装置に保持された端末装置のコンテキスト情報を処理し、それにより、端末装置は無線リソース接続を正常に再開でき、それにより、通信効率を改善する。
【００６６】
第4の態様を参照して、第4の態様のいくつかの実現方式では、端末装置により、端末装置が一時停止状態にあり且つ端末装置の無線能力が変化したこと、又は端末装置が無線リソース制御非アクティブ状態にあり且つ端末装置の無線能力が変化したことに基づいて、無線リソース制御接続確立メッセージを開始するステップは、
端末装置の非アクセス層により、端末装置のアクセス層に対して、無線リソース制御接続確立メッセージを開始するように命令するステップを含む。
【００６７】
第4の態様を参照して、第4の態様のいくつかの実現方式では、無線リソース制御接続確立メッセージは無線リソース再開識別情報を含む。
【００６８】
この出願のこの実施形態では、UEは、RRC  resume手順を開始するのではなく、RRC  connection  establishment手順を直接開始してもよく、それにより、無線能力の変化により引き起こされるRRC  resume手順の障害を回避する。さらに、UEの無線能力の変化を示す指示はRRC確立メッセージで搬送され、それにより、アクセスネットワーク装置及びコアネットワーク装置は、UEの無線能力の変化をより早く習得でき、変化を通知するためにTAU手順が実行される必要はない。Resume  IDは、アクセスネットワーク装置に対して、UEの対応するコンテキストを削除するように命令するために、RRC  connection  establishment手順において搬送される。
【００６９】
第4の態様を参照して、第4の態様のいくつかの実現方式では、無線リソース制御接続確立メッセージは指示情報を更に含み、指示情報は、端末装置の無線能力が変化したことを示すために使用されるか、或いは、アクセスネットワーク装置から端末装置の現在の無線能力を要求するために使用される。
【００７０】
任意選択で、指示情報は、端末装置の無線能力が変化したことを示すために使用される情報でもよく、或いは、アクセスネットワーク装置に対して、端末装置の無線能力情報を削除又は更新するように命令するために使用される情報でもよい。第1の無線能力は、端末装置によりサポートされる無線アクセス技術を示す。
【００７１】
第5の態様によれば、端末装置の無線能力の変化を処理するための方法が提供される。当該方法は、
コアネットワーク装置により、指示情報をアクセスネットワーク装置に送信するステップであり、指示情報は、端末装置の無線能力が変化したことを示すために使用されるか、或いは、アクセスネットワーク装置から端末装置の現在の無線能力を要求するために使用される、ステップを含む。
【００７２】
第5の態様を参照して、第5の態様のいくつかの実現方式では、コアネットワーク装置により、指示情報をアクセスネットワーク装置に送信するステップは、
コアネットワーク装置により、端末装置が接続状態にあるとき、指示情報をアクセスネットワーク装置に送信するステップを含む。
【００７３】
第5の態様を参照して、第5の態様のいくつかの実現方式では、当該方法は、
指示情報がアクセスネットワーク装置から端末装置の現在の無線能力を要求するために使用されるとき、更新指示をアクセスネットワーク装置に送信するステップであり、更新指示は、アクセスネットワーク装置に対して、端末装置の無線能力情報を更新するように命令するために使用され、更新指示及び指示情報は同じメッセージで搬送されてもよい、ステップを更に含む。
【００７４】
第5の態様を参照して、第5の態様のいくつかの実現方式では、指示情報が端末装置の無線能力が変化したことを示すために使用されるとき、指示情報は、アクセスネットワーク装置に対して、指示情報に従って端末装置の無線能力を更新するように命令するために更に使用される。
【００７５】
第6の態様によれば、端末装置の無線能力の変化を処理するためのアクセスネットワーク装置が提供される。アクセスネットワーク装置は、
指示情報を受信するように構成されたトランシーバモジュールであり、アクセスネットワーク装置は、端末装置の無線能力情報を記憶し、指示情報は、端末装置の無線能力が変化したことを示すために使用されるか、或いは、アクセスネットワーク装置から端末装置の現在の無線能力を要求するために使用される、トランシーバモジュールと、
指示情報に従って端末装置の現在の無線能力情報を取得するように構成された処理モジュールと
を含む。
【００７６】
この出願のこの実施形態では、一時停止状態のUEの無線能力が変化したとき、アクセスネットワーク装置は、指示情報に従って、アクセスネットワーク装置に保持された端末装置の無線能力のコンテキスト情報を処理し、それにより、端末装置は無線リソース接続を正常に再開でき、それにより、通信効率を改善する。
【００７７】
アクセスネットワーク装置がアクセスネットワーク装置内の無線能力情報を処理することは、アクセスネットワーク装置が無線能力情報を更新することでもよく、或いは、アクセスネットワーク装置が無線能力情報を削除することでもよいことが理解されるべきである。
【００７８】
第6の態様を参照して、第6の態様のいくつかの実現方式では、トランシーバモジュールは、
端末装置により送信された第1のメッセージを受信するように具体的に構成され、第1のメッセージは、無線リソース制御接続を再開することを要求するために使用され、第1のメッセージは指示情報を含む。
【００７９】
例えば、第1のメッセージは、無線リソース再開(RRC  Resume)手順における無線再開要求(RRC  connection  resume  request)メッセージでもよく、或いは、無線リソース再開手順において端末装置によりアクセスネットワーク装置に送信される他のメッセージでもよい。
【００８０】
第6の態様を参照して、第6の態様のいくつかの実現方式では、トランシーバモジュールは、
端末装置により送信された第2のメッセージを受信するように具体的に構成され、第2のメッセージは、無線リソース制御接続再開が完了したことを示すために使用され、第2のメッセージは指示情報を含む。
【００８１】
例えば、第2のメッセージは、無線リソース再開(RRC  Resume)手順における無線再開完了(RRC  connection  resume  complete)メッセージでもよく、或いは、無線リソース再開手順において端末装置によりアクセスネットワーク装置に送信される他のメッセージでもよい。
【００８２】
第6の態様を参照して、第6の態様のいくつかの実現方式では、トランシーバモジュールは、
端末装置により送信された第3のメッセージを受信するように具体的に構成され、第3のメッセージは、無線リソース制御接続が確立されたことを示すために使用され、第3のメッセージは識別情報を含む。
【００８３】
例えば、第3のメッセージは、無線リソース制御接続確立手順における無線リソース制御接続確立完了メッセージ、又は無線リソース制御接続確立手順における他のメッセージでもよい。
【００８４】
第6の態様を参照して、第6の態様のいくつかの実現方式では、トランシーバモジュールは、コアネットワーク装置により送信された指示情報を受信し、指示情報は、端末装置の無線能力が変化したことを示し、処理モジュールは、指示情報に従って、アクセスネットワーク装置により記憶されている無線能力情報を更新するように更に構成される。
【００８５】
第6の態様を参照して、第6の態様のいくつかの実現方式では、処理モジュールは、
指示情報が、アクセスネットワーク装置から端末装置の現在の無線能力を要求するために使用されるとき、トランシーバモジュールを使用することにより、コアネットワーク装置により送信された指示情報を受信するように具体的に構成される。
【００８６】
第6の態様を参照して、第6の態様のいくつかの実現方式では、トランシーバモジュールは、
コアネットワーク装置により送信された第4のメッセージを受信するように具体的に構成され、第4のメッセージは、アクセスネットワーク装置に対して、アクセスネットワーク装置内の端末の無線能力情報を削除又は更新するように命令するために使用され、第4のメッセージは指示情報を含み、コアネットワーク装置は、モビリティ管理エンティティ又はアクセス及びモビリティ管理機能エンティティである。
【００８７】
任意選択で、第4のメッセージは、アクセスネットワーク装置がUEの記憶されている古いコンテキストを削除又は更新する必要があることを示すために、コアネットワーク装置により使用される新たなメッセージでもよい。
【００８８】
任意選択で、第4のメッセージは、アクセスネットワーク装置がUEの記憶されている古いコンテキストを削除又は更新する必要があることを示すために、コアネットワーク装置により使用される既存のメッセージでもよい。
【００８９】
例えば、コアネットワーク装置は、情報要素を接続確立指示(connection  establishment  indication)メッセージに追加することにより、アクセスネットワーク装置に対して、UEの古いコンテキストを削除又は更新するように命令する。
【００９０】
任意選択で、第4のメッセージは、アクセスネットワーク装置がUEの記憶されている古いコンテキストを削除する必要があることを示すために、コアネットワーク装置によりアクセスネットワーク装置に送信されるダウンリンク非アクセス層(downlink  NAS  transport)メッセージ又は端末装置転送(UE  information  transfer)メッセージでもよい。
【００９１】
この出願のこの実施形態では、アクセスネットワーク装置は、端末装置により送信された指示情報を受信することが理解されるべきである。指示情報は、端末装置の無線能力が変化したことを示すために使用されてもよく、或いは、指示情報は、アクセスネットワーク装置に対して、端末装置の無線能力情報を更新するように命令するために使用されてもよく、或いは、指示情報は、アクセスネットワーク装置に対して、端末装置の無線能力情報を削除するように命令するために使用されてもよい。無線能力は、端末装置によりサポートされる無線アクセス技術、例えば、エネルギーレベル及び周波数帯域のような情報を示してもよい。
【００９２】
第6の態様を参照して、第6の態様のいくつかの実現方式では、トランシーバモジュールは、更新指示を受信するように更に構成され、更新指示は、アクセスネットワーク装置に対して、端末装置の無線能力情報を更新するように命令するために使用され、指示情報はコアネットワーク装置により送信される。
【００９３】
例えば、更新指示及び指示情報は同じメッセージで搬送されてもよい。
【００９４】
第6の態様を参照して、第6の態様のいくつかの実現方式では、処理モジュールは、処理モジュールが端末装置から無線能力情報を取得する前に記憶されている端末装置の無線能力情報を削除するように更に構成される。
【００９５】
第6の態様を参照して、第6の態様のいくつかの実現方式では、無線能力は、端末装置によりサポートされるシステム情報又は送受信能力のうち少なくとも1つを含む。
【００９６】
第6の態様を参照して、第6の態様のいくつかの実現方式では、端末装置は、無線リソース一時停止状態又は無線リソース非アクティブ状態にある。
【００９７】
端末装置がRRC  suspend状態又はRRC  inactive状態にあるとき、第1の無線能力が変化することが理解されるべきである。無線リソース接続を再開するとき、端末装置は、指示情報をアクセスネットワーク装置又はコアネットワーク装置に送信する。アクセスネットワーク装置は、指示情報に従って、アクセスネットワーク装置に保持されたUEの古いコンテキストを処理してもよい。古いコンテキストは、無線能力が変化する前のUEのコンテキストでもよい。
【００９８】
第7の態様によれば、端末装置の無線能力の変化を処理するためのアクセスネットワーク装置が提供される。アクセスネットワーク装置は、
無線リソース制御再開識別情報を受信するように構成されたトランシーバモジュールであり、当該装置は、端末装置の無線能力情報を記憶する、トランシーバモジュールと、
識別情報に基づいてアクセスネットワーク装置内の端末装置のコンテキストを処理するように構成された処理モジュールと
を含む。
【００９９】
この出願のこの実施形態では、一時停止状態のUEの無線能力が変化したとき、端末装置は、従来の無線リソース接続確立(RRC  connection  establishment)手順を開始し、アクセスネットワーク装置は、識別情報に基づいて、アクセスネットワーク装置に保持された端末装置のコンテキスト情報を処理し、それにより、端末装置は無線リソース接続を正常に再開でき、それにより、通信効率を改善する。
【０１００】
第7の態様を参照して、第7の態様のいくつかの実現方式では、処理モジュールは、
アクセスネットワーク装置が端末装置から無線能力を要求する前に記憶されている無線能力を削除するか、或いは
送信モジュールを使用することにより、指示メッセージを送信し、指示メッセージは、第2のアクセスネットワーク装置に対して、端末装置のコンテキストを削除するように命令するために使用され、第2のアクセスネットワーク装置は、端末装置が一時停止状態に入るときに端末装置によりアクセスされるアクセスネットワーク装置である、
ように具体的に構成される。
【０１０１】
端末装置は、端末装置が一時停止状態にあるときに、新たなアクセスネットワーク装置、すなわち、第2のアクセスネットワーク装置のカバレッジに移動し、アクセスネットワークデバイス内のコンテキスト情報を保持する必要なく、従来の無線リソース接続確立手順(RRC  connection  establishment)を開始してもよいことが理解されるべきである。したがって、アクセスネットワーク装置は、リソースを解放するために、UEの保持されたコンテキスト情報を削除する必要がある。
【０１０２】
第7の態様を参照して、第7の態様のいくつかの実現方式では、トランシーバモジュールは、
端末装置により送信された第3のメッセージを受信するように更に構成され、第3のメッセージは、無線リソース制御接続確立が完了したことを示すために使用され、第3のメッセージは指示情報を含む。
【０１０３】
例えば、第3のメッセージは、無線リソース制御接続確立手順における無線リソース制御接続確立完了メッセージ、又は無線リソース制御接続確立手順における他のメッセージでもよい。
【０１０４】
この出願のこの実施形態では、UEは、RRC  resume手順を開始するのではなく、RRC  connection  establishment手順を直接開始してもよく、それにより、無線能力の変化により引き起こされるRRC  resume手順の障害を回避する。さらに、UEの無線能力の変化を示す指示はRRC確立メッセージで搬送され、それにより、アクセスネットワーク装置及びコアネットワーク装置は、UEの無線能力の変化をより早く習得でき、変化を通知するためにTAU手順が実行される必要はない。Resume  IDは、アクセスネットワーク装置に対して、UEの対応するコンテキストを削除するように命令するために、RRC  connection  establishment手順において搬送される。
【０１０５】
第7の態様を参照して、第7の態様のいくつかの実現方式では、処理モジュールは、
指示情報に従ってUEの無線能力要求を端末装置に送信するように更に構成され、アクセスネットワーク装置は、端末装置により報告されたUEの無線能力を受信する。
【０１０６】
例えば、アクセスネットワーク装置は、指示情報に従って端末装置からUEの無線能力を要求する。指示情報は、UEの無線能力を要求するためのトリガ条件として考えられてもよい。無線能力要求を受信した後に、端末装置は、UEの現在の無線能力、例えば、第2の無線能力をアクセスネットワーク装置に報告する。
【０１０７】
第8の態様によれば、端末装置の無線能力の変化を処理するための端末装置が提供される。端末装置は、
指示情報をアクセスネットワーク装置に送信するように構成されたトランシーバモジュールであり、指示情報は、端末装置の無線能力が変化したことを示すために使用されるか、或いは、アクセスネットワーク装置に対して、端末装置の無線能力を更新するように命令するために使用される、トランシーバモジュールを含む。
【０１０８】
この出願のこの実施形態では、一時停止状態のUEの無線能力が変化したとき、アクセスネットワーク装置は、指示情報に従って、アクセスネットワーク装置に保持された端末装置の第1の無線能力のコンテキスト情報を処理し、それにより、端末装置は無線リソース接続を正常に再開でき、それにより、通信効率を改善する。
【０１０９】
当該装置は処理モジュールを更に含んでもよく、処理モジュールは、指示情報を生成するように、或いは、指示情報を決定するように構成される点に留意すべきである。
【０１１０】
第8の態様を参照して、第8の態様のいくつかの実現方式では、トランシーバモジュールは、第1のメッセージをアクセスネットワーク装置に送信するように具体的に構成され、第1のメッセージは、無線リソース制御接続を再開することを要求するために使用され、第1のメッセージは指示情報を含む。
【０１１１】
例えば、第1のメッセージは、無線リソース再開(RRC  Resume)手順における無線再開要求(RRC  connection  resume  request)メッセージでもよく、或いは、無線リソース再開手順において端末装置によりアクセスネットワーク装置に送信される他のメッセージでもよい。
【０１１２】
第8の態様を参照して、第8の態様のいくつかの実現方式では、トランシーバモジュールは、
第2のメッセージを送信するように具体的に構成され、第2のメッセージは、無線リソース制御接続再開が完了したことを示すために使用され、第2のメッセージは指示情報を含む。
【０１１３】
例えば、第2のメッセージは、無線リソース再開(RRC  Resume)手順における無線再開完了(RRC  connection  resume  complete)メッセージでもよく、或いは、無線リソース再開手順において端末装置によりアクセスネットワーク装置に送信される他のメッセージでもよい。
【０１１４】
第8の態様を参照して、第8の態様のいくつかの実現方式では、トランシーバモジュールは、第3のメッセージをアクセスネットワーク装置に送信するように具体的に構成され、第3のメッセージは、無線リソース制御接続が確立されたことを示すために使用され、第3のメッセージは識別情報を含む。
【０１１５】
第8の態様を参照して、第8の態様のいくつかの実現方式では、当該装置は処理モジュールを更に含み、処理モジュールは、
シグナリング無線ベアラ及びアクセス層のセキュリティを再開し、データ無線ベアラを再開するのをスキップするように構成される。
【０１１６】
例えば、第1の無線能力は、端末装置が一時停止状態にあるときに変化する。端末装置は、指示情報をアクセスネットワーク装置に送信する。端末装置がアクセスネットワーク装置の無線リソース接続再開(RRC  connection  resume)応答を受信したとき、端末装置は、SRB、DRB及びASの全てのセキュリティを同時に再開してもよく、UEはRRC接続状態に入る。代替として、端末装置は、SRB及びASのセキュリティを再開してもよく、UEは一時的にDRBを確立しない。
【０１１７】
第8の態様を参照して、第8の態様のいくつかの実現方式では、トランシーバモジュールは、アクセスネットワーク装置により送信されたデータ無線ベアラ構成を受信するように更に構成され、
処理モジュールは、データ無線ベアラ構成に基づいてデータ無線ベアラのセキュリティを再開するように構成される。
【０１１８】
端末装置がSRB及びASのセキュリティを再開し、UEが一時的にDRBを確立しないとき、アクセスネットワーク装置は、UEの現在の無線能力及び基地局の状態に基づいてUEのDRB構成を構成する点に留意すべきである。この場合、UEはDRBを再開し、UEはRRC接続状態に入る。
【０１１９】
例えば、端末装置は、SRB及びASのセキュリティを再開してもよく、UEは一時的にDRBを確立せず、アクセスネットワーク装置は、UEの無線能力要求を端末装置に送信する。端末装置は、第2の無線能力のようなUEの無線能力をアクセスネットワーク装置に報告する。アクセスネットワーク装置は、第2の無線能力及びアクセスネットワークの状態に基づいてUEのDRBを構成し、UEは、アクセスネットワーク装置により構成されたDRBに基づいてDRBを再開する。
【０１２０】
第9の態様によれば、端末装置の無線能力の変化を処理するための端末装置が提供される。端末装置は、
トランシーバモジュールを使用することにより、端末装置が一時停止状態にあり且つ端末装置の無線能力が変化したこと、又は端末装置が無線リソース制御非アクティブ状態にあり且つ端末装置の無線能力が変化したことに基づいて、無線リソース制御接続確立メッセージを開始するように構成された処理モジュールを含む。
【０１２１】
この出願のこの実施形態では、一時停止状態のUEの無線能力が変化したとき、端末装置は、従来の無線リソース接続確立(RRC  connection  setup)手順を開始し、アクセスネットワーク装置は、識別情報に基づいて、アクセスネットワーク装置に保持された端末装置のコンテキスト情報を処理し、それにより、端末装置は無線リソース接続を正常に再開でき、それにより、通信効率を改善する。
【０１２２】
第9の態様を参照して、第9の態様のいくつかの実現方式では、無線リソース制御接続確立メッセージは指示情報を更に含み、指示情報は、端末装置の無線能力が変化したことを示すために使用されるか、或いは、アクセスネットワーク装置から端末装置の現在の無線能力を要求するために使用される。
【０１２３】
第9の態様を参照して、第9の態様のいくつかの実現方式では、無線リソース制御接続確立メッセージは無線リソース再開識別情報を含む。
【０１２４】
この出願のこの実施形態では、UEは、RRC  resume手順を開始するのではなく、RRC  connection  establishment手順を直接開始してもよく、それにより、無線能力の変化により引き起こされるRRC  resume手順の障害を回避する。さらに、UEの無線能力の変化を示す指示はRRC確立メッセージで搬送され、それにより、アクセスネットワーク装置及びコアネットワーク装置は、UEの無線能力の変化をより早く習得でき、変化を通知するためにTAU手順が実行される必要はない。Resume  IDは、アクセスネットワーク装置に対して、UEの対応するコンテキストを削除するように命令するために、RRC  connection  establishment手順において搬送される。
【０１２５】
第9の態様を参照して、第9の態様のいくつかの実現方式では、無線リソース制御接続確立メッセージは指示情報を更に含み、指示情報は、端末装置の無線能力が変化したことを示すために使用されるか、或いは、アクセスネットワーク装置から端末装置の現在の無線能力を要求するために使用される。
【０１２６】
例えば、指示情報は、端末装置の第1の無線能力が変化したことを示すために使用される情報でもよく、或いは、アクセスネットワーク装置に対して、端末装置の第1の無線能力を削除又は更新するように命令するために使用される情報でもよい。第1の無線能力は、端末装置によりサポートされる無線アクセス技術を示す。
【０１２７】
第10の態様によれば、端末装置の無線能力の変化を処理するためのコアネットワーク装置が提供される。コアネットワーク装置は、
指示情報をアクセスネットワーク装置に送信するように構成されたトランシーバモジュールであり、指示情報は、端末装置の無線能力が変化したことを示すために使用されるか、或いは、アクセスネットワーク装置から端末装置の現在の無線能力を要求するために使用される、トランシーバモジュールを含む。
【０１２８】
第10の態様を参照して、第10の態様のいくつかの実現方式では、当該装置は処理モジュールを更に含み、処理モジュールは、トランシーバモジュールを使用することにより、端末装置が接続状態にあるとき、指示情報をアクセスネットワーク装置に送信するように構成される。
【０１２９】
第10の態様を参照して、第10の態様のいくつかの実現方式では、指示情報がアクセスネットワーク装置から端末装置の現在の無線能力を要求するために使用されるとき、トランシーバモジュールは、更新指示をアクセスネットワーク装置に送信し、更新指示は、アクセスネットワーク装置に対して、端末装置の無線能力情報を更新するように命令するために使用される。
【０１３０】
第10の態様を参照して、第10の態様のいくつかの実現方式では、指示情報が端末装置の無線能力が変化したことを示すために使用されるとき、指示情報は、アクセスネットワーク装置に対して、指示情報に従って端末装置の無線能力を更新するように命令するために更に使用される。
【０１３１】
第11の態様によれば、端末装置の無線能力の変化を処理するための装置が提供される。当該装置は、トランシーバと、プロセッサと、メモリとを含む。プロセッサは、信号を送信及び受信するようトランシーバを制御するように構成される。メモリは、コンピュータプログラムを記憶するように構成される。プロセッサは、メモリからコンピュータプログラムを呼び出し、コンピュータプログラムを実行するように構成され、それにより、ネットワーク装置は、第1の態様〜第5の態様又は第1の態様の可能な実現方式〜第5の態様の可能な実現方式のうちいずれか1つによる方法を実行する。
【０１３２】
第12の態様によれば、コンピュータ読み取り可能媒体が提供される。コンピュータ読み取り可能媒体は、コンピュータプログラムを記憶する。コンピュータプログラムがコンピュータにより実行されたとき、第1の態様〜第5の態様又は第1の態様の可能な実現方式〜第2の態様の可能な実現方式のうちいずれか1つによる方法が実現される。
【０１３３】
第13の態様によれば、コンピュータプログラム製品が提供される。コンピュータプログラム製品がコンピュータにより実行されたとき、第1の態様〜第5の態様又は第1の態様の可能な実現方式〜第5の態様の可能な実現方式のうちいずれか1つによる方法が実現される。
【図面の簡単な説明】
【０１３４】
【図１】この出願の実施形態に適用される可能なネットワークアーキテクチャの概略図である。
【図２】この出願の実施形態に適用される可能なネットワークアーキテクチャの概略図である。
【図３】この出願の実施形態に適用される可能なネットワークアーキテクチャの概略図である。
【図４】この出願の実施形態に適用される可能なネットワークアーキテクチャの概略図である。
【図５】UEにより開始される無線リソース接続一時停止手順の概略図である。
【図６】UEにより開始される無線リソース接続一時停止手順において各ネットワークエレメントに保持されるコンテキストの概略図である。
【図７】UEにより開始される無線リソース接続再開手順の概略図である。
【図８】UEにより開始される無線リソース接続再開手順において各ネットワークエレメントに保持されるコンテキストの概略図である。
【図９】この出願の実施形態に従って端末装置の無線能力の変化を処理するための方法の概略図である。
【図１０】この出願の実施形態に従って端末装置の無線能力の変化を処理するための方法の概略相互作用図である。
【図１１】この出願の他の実施形態に従って端末装置の無線能力の変化を処理するための方法の概略相互作用図である。
【図１２】この出願の他の実施形態に従って端末装置の無線能力の変化を処理するための方法の概略相互作用図である。
【図１３】この出願の他の実施形態に従って端末装置の無線能力の変化を処理するための方法の概略相互作用図である。
【図１４】UEにより開始される無線リソース接続確立手順の概略図である。
【図１５】この出願の他の実施形態に従って端末装置の無線能力の変化を処理するための方法の概略相互作用図である。
【図１６】この出願の実施形態に従って端末装置の無線能力の変化を処理するための装置の概略ブロック図である。
【図１７】この出願の実施形態に従って端末装置の無線能力の変化を処理するための装置の概略ブロック図である。
【図１８】この出願の実施形態に従って端末装置の無線能力の変化を処理するための装置の概略ブロック図である。
【図１９】この出願の実施形態に従って端末装置の無線能力の変化を処理するための装置の概略ブロック図である。
【発明を実施するための形態】
【０１３５】
以下に、添付の図面を参照して、この出願の技術的解決策について説明する。
【０１３６】
この出願の技術的解決策は、グローバル・システム・フォー・モバイル・コミュニケーションズ(global  system  for  mobile  communications,  GSM)システム、符号分割多元接続(code  division  multiple  access,  CDMA)システム、広帯域符号分割多元接続(wideband  code  division  multiple  access,  WCDMA)システム、汎用パケット無線サービス(general  packet  radio  service,  GPRS)、ロングタームエボリューション(long  term  evolution,  LTE)システム、LTE周波数分割複信(frequency  division  duplex,  FDD)システム、LTE時分割複信(time  division  duplex,  TDD)、ユニバーサル移動通信システム(universal  mobile  telecommunication  system,  UMTS)、ワールドワイド・インターオペラビリティ・フォー・マイクロウェーブ・アクセス(worldwide  interoperability  for  microwave  access,  WiMAX)通信システム、将来の第5世代(5th  generation,  5G)システム、新無線(new  radio,  NR)、又は可能な将来の通信システムのような、様々な通信システムに適用されてもよい。
【０１３７】
この出願の実施形態における端末装置は、ユーザ機器、アクセス端末、加入者ユニット、加入者局、移動局、移動局、遠隔局、遠隔端末、移動デバイス、ユーザ端末、端末、無線通信デバイス、ユーザエージェント又はユーザ装置でもよい。代替として、端末装置は、携帯電話、コードレス電話、セッションイニシエーションプロトコル(session  initiation  protocol,  SIP)電話、無線ローカルループ(wireless  local  loop,  WLL)局、パーソナルデジタルアシスタント(personal  digital  assistant,  PDA)、無線通信機能を有するハンドヘルドデバイス、計算デバイス、無線モデムに接続された他の処理デバイス、車載デバイス、ウェアラブルデバイス、将来の5Gネットワークにおける端末装置、又は将来の進化型公衆陸上移動ネットワーク(public  land  mobile  network,  PLMN)における端末装置でもよい。これは、この出願の実施形態では限定されない。
【０１３８】
この出願の実施形態におけるコアネットワーク(core  network,  CN)デバイスは、端末装置の制御プレーンアンカーでもよく、端末のための登録エリア(registration  area)更新のような機能を提供する。例えば、コアネットワーク装置は、アクセス及びモビリティ管理機能(access  and  mobility  management  function,  AMF)エンティティを含んでもよい。コアネットワーク装置は、端末のためのコアネットワークアクセス(core  access)及びモビリティ管理のような機能を提供するように構成されたネットワークデバイスでもよい。コアネットワーク装置の具体的な機能は、LTEシステムにおけるモビリティ管理エンティティ(mobility  management  entity,  MME)の機能と同様でもよい。
【０１３９】
この出願の実施形態におけるアクセスネットワーク装置は、端末装置と通信するように構成されたデバイスでもよく、アクセスネットワーク装置は、無線アクセスネットワーク(radio  access  network,  RAN)デバイスでもよい。RANデバイスは、様々なタイプの基地局を含んでもよい。例えば、この出願の実施形態における基地局は、様々な形式のマクロ基地局、マイクロ基地局、中継局、アクセスポイント等を含んでもよい。異なる無線アクセス技術を使用するシステムでは、基地局機能を有するデバイスは異なる名称を有してもよい。例えば、LTEネットワークでは、基地局機能を有するデバイスは、進化型ノードB(evolved  NodeB,  eNB又はeNodeB)と呼ばれる。第3世代(3rd  generation,  3G)ネットワークでは、基地局機能を有するデバイスは、ノードB(NodeB)と呼ばれる。第5世代(5th  generation,  5G)ネットワークでは、基地局機能を有するデバイスは、gノードB(g  Node  B,  gNB)等と呼ばれる。これは、この出願の実施形態では限定されない。
【０１４０】
可能な方式では、アクセスネットワークデバイスは、集中ユニット(centralized  unit,  CU)と、分散ユニット(distributed  unit,  DU)とを含んでもよい。コストを低減してネットワーク拡大を容易にするために、1つのCUが1つのDUに接続されてもよく、或いは、複数のDUが1つのCUを共有してもよい。CU及びDUはプロトコルスタックに基づいて分割されてもよい。可能な方式では、無線リソース制御(radio  resource  control,  RRC)レイヤ、サービスデータマッピングプロトコルスタック(service  data  adaptation  protocol,  SDAP)レイヤ及びパケットデータコンバージェンスプロトコル(packet  data  convergence  protocol,  PDCP)レイヤはCUに配備され、残りの無線リンク制御(radio  link  control,  RLC)レイヤ、媒体アクセス制御(media  access  control,  MAC)レイヤ及び物理レイヤはDUに配備される。
【０１４１】
さらに、この出願の実施形態では、アクセスネットワークデバイスは、セルのためのサービスを提供し、端末装置は、セルにより使用される送信リソース(例えば、周波数ドメインリソース又はスペクトルリソース)を使用することにより、ネットワークデバイスと通信する。セルは、ネットワークデバイス(例えば、基地局)に対応するセルでもよい。セルは、マクロ基地局に属してもよく、或いは、スモールセル(small  cell)に対応する基地局に属してもよい。ここでのスモールセルは、メトロセル(Metro  cell)、マイクロセル(Micro  cell)、ピコセル(Pico  cell)、フェムトセル(Femto  cell)等を含んでもよい。これらのスモールセルは、小さいカバレッジ及び低い送信電力を特徴とし、高速データ送信サービスの提供に適用可能である。
【０１４２】
コンテキストは、通信システムにおけるコンテキストセッションの確立を示し、主に機能エンティティの間の接続の確立を示し、情報送信に使用されるか、或いは、エンティティに記憶されている情報を示す。
【０１４３】
例えば、LTEにおけるコンテキストは、主にEPSベアラコンテキストであり、UEとP-GWとの間の接続リンクを確立するプロセスにおいて確立される。シグナリング相互作用は、シグナリングベアラが確立された後に実行されてもよく、データパケットは、データベアラが確立された後に送信/受信されてもよい。
【０１４４】
無線能力は、UEによりサポートされる無線アクセス技術(radio  access  technology,  RAT)、例えば、エネルギーレベル又は周波数帯域を含む。
【０１４５】
この出願の実施形態における技術的解決策は、具体的には、非ローミングシナリオにおける5Gシステムに適用してもよい。以下に、図１を参照して、非ローミングシナリオにおける5Gシステムについて説明する。
【０１４６】
図１は、非ローミングシナリオにおける5Gシステムのアーキテクチャの概略図である。
【０１４７】
図１に示すシステムアーキテクチャは、ユーザ機器(user  equipment,  UE)と、無線アクセスネットワーク(radio  access  network  RAN)と、アクセス及びモビリティ管理ネットワークエレメント(access  and  mobility  management  function,  AMF)と、セッション管理ネットワークエレメント(session  management  function,  SMF)と、ユーザプレーンネットワークエレメント(user  plane  function,  UPF)と、ポリシー制御ネットワークエレメント(policy  control  function,  PCF)と、統一データ管理ネットワークエレメント(unified  data  management,  UDM)と、認証サーバ機能(authentication  server  function,  AUSF)エンティティと、データネットワーク(data  network,  DN)モジュールとを含む。
【０１４８】
図１に示すシステムアーキテクチャにおけるコアネットワークにおけるデバイスの主な機能は、以下の通りである。
【０１４９】
アクセス及びモビリティ管理機能(access  and  mobility  management  function,  AMF)は、主に、モビリティ管理、アクセス管理等に使用され、モビリティ管理エンティティ(mobility  management  entity,  MME)の機能におけるセッション管理以外の機能、例えば、合法的傍受及びアクセス許可/認証のような機能を実現するために使用されてもよい。
【０１５０】
セッション管理機能(session  management  function,  SMF)は、主に、セッション管理、端末装置のインターネットプロトコル(Internet  Protocol,  IP)アドレス割り当て及び管理、管理可能なユーザプレーン機能選択、ポリシー制御及び課金機能インタフェースの終端点、ダウンリンクデータ通知等に使用される。
【０１５１】
ユーザプレーン機能(User  Plane  Function,  UPF)は、データパケットをルーティング及び転送する主な機能を有し、DNへのサービスフローのルーティングをサポートするためのモビリティアンカー又はアップリンク分類器として使用されてもよく、或いは、マルチホーミングPDUセッションをサポートするためのBP等として使用されてもよい。
【０１５２】
ポリシー制御ネットワークエレメント(policy  control  function,  PCF)は、ポリシー判定ポイントであり、サービスフロー検出、アプリケーション検出、ゲート制御、QoS及びフローベースの課金制御のためのルールを提供する主な機能を有する。
【０１５３】
(無線)アクセスネットワーク(radio  access  network,  (R)AN)は、特定のエリア内の許可されたユーザのためのネットワークアクセス機能を提供するために使用され、ユーザレベル、サービス要件等に基づいて異なる品質を有する送信トンネルを使用できる。(R)ANネットワークエレメントは、端末装置とコアネットワークとの間で制御信号及びユーザデータを転送するために、無線リソースを管理し、端末装置のためのアクセスサービスを提供できる。(R)ANネットワークエレメントは、代替として、従来のネットワークにおける基地局として理解されてもよい。
【０１５４】
認証サーバ機能(authentication  server  function,  AUSF)は、主にユーザ認証等に使用される。
【０１５５】
アプリケーション機能(application  function,  AF)は、サービスを提供するために3GPPコアネットワークと相互作用するために使用される。相互作用は、NEFとの相互作用、ポリシーアーキテクチャとの相互作用等を含む。ネットワーク公開機能(network  exposure  function,  NEF)の主な機能は、3GPPネットワーク機能により提供されるサービス及び能力を内部のサードパーティ等に安全に開放し、AFと交換される情報及び内部ネットワーク機能と交換される情報、例えば、AFサービス識別子並びにDNN及びS-NSSAIのような内部5Gコアネットワーク情報を変換又は変換することを含む。
【０１５６】
ネットワーク公開機能(network  exposure  function,  NEF)は、3GPPネットワーク機能により提供されるサービス及び能力を外部に安全に開放するために使用される。
【０１５７】
統一データ管理(unified  data  management,  UDM)は、ユーザ識別子、アクセス認証、登録、モビリティ管理等を処理するために使用される。
【０１５８】
図１に含まれるネットワークエレメントの名称(SMF、AF及びUPF等)はまた、単なる名称であり、ネットワークエレメントの機能に対する限定を構成しない点に留意すべきで或る。5Gネットワーク及び他の将来のネットワークにおいて、上記のネットワークエレメントは、代替として、他の名称を有してもよい。これは、この出願の実施形態では具体的に限定されない。例えば、6Gネットワークにおいては、上記のネットワークエレメントの一部又は全部は、依然として5Gにおける用語を使用してもよく、或いは、他の名称等を使用してもよい。これは、ここでは一様に記載される。詳細は以下では説明しない。
【０１５９】
この出願の実施形態に適用される上記のネットワークアーキテクチャは、単に説明のためのネットワークアーキテクチャの例であり、この出願の実施形態に適用されるネットワークアーキテクチャは、これに限定されないことが理解されるべきである。上記のネットワークエレメントの機能を実現できる如何なるネットワークアーキテクチャも、この出願の実施形態に適用可能である。
【０１６０】
図１に示す非ローミングシナリオにおける5Gシステムに加えて、この出願の実施形態における技術的解決策は、他のシステムアーキテクチャに適用されてもよいことが理解されるべきである。例えば、この出願の実施形態における技術的解決策はまた、図２に示すローミングシナリオにおける5Gシステムに適用されてもよい。
【０１６１】
この出願の実施形態における技術的解決策は、具体的には、非ローミングシナリオにおける4Gシステムに適用されてもよい。以下に、図３を参照して、非ローミングシナリオにおける4Gシステムについて説明する。
【０１６２】
図３は、非ローミングシナリオにおける4Gシステムのアーキテクチャの概略図である。
【０１６３】
図３に示すシステムアーキテクチャは、ユーザ機器(user  equipment,  UE)、モビリティ管理エンティティ(mobility  management  entity,  MME)、パケットデータネットワークゲートウェイ(packet  data  network  gateway,  P-GW)、サービングゲートウェイ(serving  gateway,  S-GW)等を含む。
【０１６４】
図３に示すシステムアーキテクチャにおけるコアネットワークにおけるデバイスの主な機能は、以下の通りである。
【０１６５】
進化型ユニバーサル地上無線アクセスネットワーク(evolved  universal  terrestrial  radio  access  network,  EUTRAN)は、複数のeNodeBを含むネットワークであり、無線物理レイヤ機能、リソーススケジューリング及び無線リソース管理、無線アクセス制御並びにモビリティ管理機能を実現する。eNodeBは、ユーザプレーンインタフェースS1-Uを通じてS-GWに接続され、ユーザデータを送信するように構成され、制御プレーンインタフェースS1-MMEを通じてMMEに接続され、S1-APプロトコルを使用することにより無線アクセスベアラ制御のような機能を実現する。
【０１６６】
MMEは、主に非アクセス層(non  access  stratum,  NAS)シグナリング及びセキュリティ、トラッキングエリア管理、P-GW及びS-GW選択等を含むユーザプレーンセッション管理の全ての制御プレーン機能を担う。
【０１６７】
S-GWは、主に、ユーザ機器のデータ送信、データ転送、ルート切り替え等を担い、ユーザ機器がeNodeBの間でハンドオーバされるときのローカルモビリティアンカーポイントとして機能する(ユーザ機器毎に、1つのS-GWのみが各時点にユーザ機器にサービス提供する)。
【０１６８】
P-GWは、PDN接続のアンカーポイントとして機能し、ユーザ機器のIPアドレス割り当て、及びユーザ機器のデータパケットフィルタリング、レート制御、課金情報生成等を担う。
【０１６９】
図３に示す非ローミングシナリオにおける4Gシステムに加えて、この出願の実施形態における技術的解決策は、他のシステムアーキテクチャに適用されてもよいことが理解されるべきである。例えば、この出願の実施形態における技術的解決策はまた、図４に示すローミングシナリオにおける4Gシステムに適用されてもよい。
【０１７０】
以下に、4Gのモノのインターネットのユーザプレーン拡張技術が説明のための例として使用される。
【０１７１】
4Gでは、セルラのモノのインターネット(cellular  internet  of  things,  CIoT)デバイスをより良くサポートするために、ユーザプレーン送信拡張技術が導入されている。UE及びネットワークがユーザプレーン最適化データ送信方式をサポートするとき、ネットワークは、接続一時停止(connection  suspend)手順を使用することにより、確立された接続を一時停止する。接続一時停止手順において、UEのコンテキスト及びキャリアのコンテキストは記憶され、UEはアイドル状態に入る。この場合、UEがデータを送信する必要があるとき、UEは、サービス要求(service  request)手順を開始することなく、接続状態に入るために接続再開(connection  resume)手順を使用することにより、接続を迅速に再開してもよい。
【０１７２】
図５は、4GシステムにおいてeNBにより開始される接続一時停止手順の概略図である。
【０１７３】
S101:eNodeBは、接続一時停止手順をトリガするために、S1-AP  UEコンテキスト一時停止要求(context  suspend  request)メッセージをMMEに送信する。eNodeBは、MMEに対して、UEのRRC接続が一時停止されるべきであることを示し、したがってMMEはECM-idle状態に入る。eNB、UE及びMMEは、接続を再開するために必要なS1-APアソシエーションに関連するデータ、UEのコンテキスト及びベアラのコンテキストを保持する。
【０１７４】
eNodeBは、情報要素「information  on  recommended  cells  and  eNBs  for  Paging」をS1-AP  UE    context  suspend  requestメッセージに追加してもよい。情報を受信した後に、MMEは、UEをページングするときに使用するために情報を記憶するべきである。
【０１７５】
情報要素「information  for  enhanced  coverage」が利用可能である場合、eNBは、情報要素「information  for  enhanced  coverage」をS1-AP  UE  context  suspend  requestメッセージに追加する。
【０１７６】
S102.MMEは、UEの全てのS1-Uベアラを解放することを要求するために、解放アクセスベアラ要求(release  access  bearer  request)メッセージをSGWに送信する。
【０１７７】
S103:SGWは、UEのeNodeBに関する全ての情報(アドレス及びダウンリンクTEID)を解放し、全てのS1-Uベアラを解放するように命令するために、解放アクセスベアラ応答(release  access  bearer  response)メッセージをMMEに返信する。SGWにおけるUEのコンテキスト内の他の要素は影響を受けない。SGWがUEのダウンリンクデータパケットを更に受信した場合、SGWは、UEの受信したダウンリンクデータパケットをバッファリングし、「network  trigger  service  request」手順を開始する。
【０１７８】
オペレータのポリシーに従って、いずれかの受信したプロンプト「the  abnormal  release  of  radio  link」は、PDNがこの機能を有効にする場合、その後に一時停止中のPDN課金をトリガすることを決定するために、SGWにより使用されてもよい点に留意すべきである。
【０１７９】
S104.MMEは、eNBにより開始された接続一時停止手順を正常に終了するために、S1-AP  UEコンテキスト一時停止応答(UE  context  Suspend  response)メッセージをeNBに送信する。
【０１８０】
S105:eNodeBは、eNodeBからUEへのRRC接続を一時停止するために、RRCメッセージをUEに送信する。
【０１８１】
接続一時停止手順における各ネットワークエレメントに記憶されるコンテキストが図６に示されている。
【０１８２】
MMEに保持されるデータパケットは、接続を再開するために必要なデータを含む。
【０１８３】
例えば、S1APアソシエーション関係(S1AP  association)は、ダウンリンクTEIDのUEコンテキストベアラ及びUEのコンテキストを含む。
【０１８４】
UEに保持されるデータパケットは、接続を再開するために必要なデータを含む。
【０１８５】
eNBに保持されるデータは、S1AP接続に関連するデータと、UEのコンテキストと、ベアラのコンテキストと、接続を再開するために必要な関連データとを含んでもよい。
【０１８６】
S-GWから解放されるデータは、eNBアドレスと、ダウンリンクTEIDと、UEの他の解放されるコンテキストとを含んでもよい。
【０１８７】
接続再開(connection  Resume)手順において、UE及びネットワークがユーザプレーン最適化データ送信をサポートし、UEが接続再開手順を実行するために必要な情報を記憶している場合、UEは、ECM接続を再開するためにこの手順を使用する。そうでない場合、UEは、接続を再開するためにサービス要求手順を使用するものとする。
【０１８８】
接続が再開されたとき、全てのベア接続も再開される。図７は、接続再開手順を示す。UE及び全てのベアのコンテキストは、UE、eNodeB、MME及びS-GWに記憶され、それにより、再開するのに失敗したベアラ(Bear)を除く全てのベアが迅速に再開できる。
【０１８９】
図７は、4GシステムにおけるeNBにより開始される接続再開手順の概略図である。
【０１９０】
S201.UEは、UEからeNodeBへのランダムアクセス(random  access)手順をトリガする。
【０１９１】
S202.UEは、eNodeBによりUEの記憶されているASコンテキストにアクセスするために必要な情報を含む無線リソース接続再開(RRC  connection  Resume)手順をトリガする。E-UTRANはセキュリティ検査を実行する。EPSベアラ状態は、UEとネットワークとの間で同期している。具体的には、UEは、UEについて確立されていないEPSベアラ又は制御プレーンベアラではないEPSベアラをローカルで除去する。デフォルトEPSベアラについての無線ベアラが確立されていない場合、UEは、デフォルトEPSベアラに関連する全てのEPSベアラをローカルで非アクティブにする。
【０１９２】
S203:eNodeBは、UEのRRC接続再開を通知するために、S1-AP  UEコンテキスト再開要求(context  Resume  request)メッセージをMMEに送信する。eNodeBが全ての一時停止されたベアラを許可できない場合、eNodeBは、情報要素「E-RAB  Failed  To  Resume  List」において識別を実行するものとする。MMEはECM-connected状態に入る。MMEは、UEに対応し且つeNodeBに返信されるローカルに記憶されている接続一時停止手順データを識別する。データは、S1APアソシエーションに関連するデータと、UEのコンテキストと、DL  TEIDを含むベアラのコンテキストとを含む(例えば、図５に示す接続一時停止手順)。
【０１９３】
eNodeBがデフォルトEPSベアラを受け入れない場合、デフォルトベアラに関連する全てのEPSベアラは、受け入れられないベアラと考えられるべきである。MMEは、受け入れられず確立されていないベアラを解放するために、ベアラ解放手順をトリガしてもよい。
【０１９４】
一例では、S1-U接続が再開され、UEがRRC再開原因「MO  exception  data」でNB-IoT  RATにアクセスした場合、MMEはMO  exception  data  counterを維持し、この確立原因の使用をSGWに通知するために、MO  exception  data  counterをSGWに送信するものとする。
【０１９５】
一例では、RRC確立原因「MO  exception  data」がMO  exception  data  counterにより使用されている場合、SGWはPGWに通知すべきである。SGWは、SGWのCDR上の関連するカウンタを使用することにより、RRC確立原因の使用を毎回示す。
【０１９６】
一例では、PGWは、PGWのCDR上の関連するカウンタを使用することにより、RRC確立原因「MO  exception  data」のそれぞれの使用を示す。
【０１９７】
S204.MMEは接続の再開を確認するために、S1-AP  UEコンテキスト再開応答(context  Resume  response)メッセージをeNBに返信する。MMEが全ての一時停止されたE-RABを許可できない場合、MMEは、情報要素「E-RAB  Failed  To  Resume  List」において指示を実行するものとする。
【０１９８】
S205:MMEが、ステップS204において、再開するのに失敗したE-RABのリストが存在することを示す場合、eNodeBは、無線ベアラを再構成する。
【０１９９】
S206:eNodeBは、UEからアップリンクデータをSGWに転送してもよい。eNodeBは、アップリンクデータを、接続一時停止手順において記憶されているSGWアドレス及びTEID(例えば、図５に示す接続一時停止手順)に送信してもよく、SGWは、アップリンクデータをPGWに転送する。
【０２００】
S207:MMEは、PDN接続毎に、ベアラ変更要求(modify  Bearer  request)メッセージ(eNodeBアドレスと、受け入れたEPSベアラのS1  TEID(ダウンリンク)と、遅延ダウンリンクパケット通知要求と、RATタイプとを含む)をSGWに送信する。
【０２０１】
SGWが変更アクセスベアラ要求(modify  access  bearer  request)手順をサポートし、SGWがシグナリングをPGWに送信する必要がない場合、MMEは、UEについて、シグナリングを最適化するために、modify  access  bearer  request(受け入れられたEPSベアのダウンリンクユーザプレーンのeNodeBアドレス及びTEIDと、遅延ダウンリンクパケット通知要求とを含む)をSGWに送信してもよい。ここで、SGWはダウンリンクデータをUEに送信できる。
【０２０２】
MME及びSGWは、MMEのUEのコンテキスト及びSGWのUEのコンテキストにおいて、ダウンデータバッファタイマをクリアする(時間が以前に設定されている場合)。後続のトラッキングエリア更新(tracking  area  update,  TAU)手順において不要なユーザプレーン接続を確立するのを回避するために、省電力機能を使用するためにUEによりバッファリングされたいずれかのダウンリンクデータは送信されるべきである。
【０２０３】
S208.SGWは、modify  bearer  requestメッセージに応答するために、変更ベアラ応答(modify  bearer  response)メッセージ(SGWアドレス及びアップリンクTEID)をMMEに返信するか、或いは、modify  access  bearer  responseメッセージに応答するために、modify  access  bearer  responseメッセージ(SGWアドレス及びアップリンクTEID)を返信すべきである。SGWは、S5/S8シグナリングなしで(PGWにおける一時停止中の課金の解除を除く)modify  access  bearer  requestメッセージにおけるMMEの要求にサービス提供できない場合、SGWは、変更がS1-Uベアラに限定されないという指示をMMEにフィードバックするものとし、MMEは、MMEの要求を繰り返すために、PDN接続毎にmodify  bearer  requestメッセージを使用するものとする。
【０２０４】
4Gシステムは、上記のユーザプレーン拡張手順(Suspend/Resume)を説明するための例として使用される。この出願のこの実施形態はまた、ユーザプレーン拡張手順及び5Gにおける無線リソース非アクティブ(RRC  Inactive)手順にも適用可能であることが理解されるべきである。RRC  inactive手順について、ユーザプレーン拡張手順との主な違いは、UEが接続状態にあることである。5Gにおけるユーザプレーン拡張手順について、4Gにおけるユーザプレーン拡張手順との主な違いは、手順が5Gにおけるアーキテクチャに適用されることである。これは、この出願の実施形態では限定されない。
【０２０５】
現在のプロトコルによれば、UEの無線能力は、UEが接続(CONNECT)状態にあるときには変化できず、UEがアイドル(Idle)状態にあるときにのみ変化できる。アイドル状態のUEの能力が変化した場合、TAU手順において、UEは、非アクセス層(non-access  stratum,  AS)シグナリングを使用することにより、UEの無線能力の変化をMMEに通知してもよい。MMEはRANに通知する。RANは、UEからUEの無線能力を取得し、能力をMMEに送信する。UEがRRC  suspend状態にあるとき、UEはまずRRC  resumeを実行し、シグナリング無線ベアラ(signal  resource  bearer,  SRB)及びデータ無線ベアラ(data  resource  bearer,  DRB)を再開し、次いでTAU手順を実行する。
【０２０６】
UEがRRC  suspend状態にある場合、UEはidle状態にあり、UEは無線能力を変化させてもよい。suspend/resume機構では、RANはUEの無線能力(radio  capability)のコンテキストを記憶する。UEの無線能力が変化した場合、RANは、依然としてUEの無線能力が変化する前にRANに記憶されているUEの無線能力に基づいて、UEのRRC  resumeを処理する。したがって、RRC  resumeにおいてエラーが発生する可能性がある。
【０２０７】
例えば、図８は、UEの無線能力が変化したときに無線リソースを再開する概略図である。
【０２０８】
S310.UEの無線能力は、UEがRRC  suspend状態にあるときに変化する。
【０２０９】
S311.UEは、無線リソース再開要求をeNBに送信する。
【０２１０】
S312.eNBは、RRC  resume手順を実行するために、UEの第1の無線能力の保持された再開データに基づいてSRB及びDRBを確立する。
【０２１１】
UEの第1の無線能力が変化したとき、eNBは、UEの第1の無線能力が変化したことを認識しないことが理解されるべきである。したがって、eNBは、依然としてUEの以前に保持されたコンテキストに基づいて、無線リソース再開手順を実行する。その結果、無線リソース再開手順においてエラーが発生する可能性がある。
【０２１２】
UEの第1の無線能力が変化したとき、RRC  resumeが成功した場合、RANは、UEの無線能力が変化する前にRANに記憶されているUEのコンテキストを更新及び削除するように命令される必要がある点に留意すべきである。しかし、現在、suspend/resume機構において、MMEがRANに対してUEのコンテキストを削除するように命令する方式は存在しない。RRC  resumeにおいてエラーが発生した場合、従来の無線リソース接続確立(RRC  connection  establishment)手順が実行される必要がある。試行錯誤を通じたRRC接続の確立は、RRC接続の時間の増加を引き起こす。さらに、RRC  resumeがエラーに基づいて処理された場合、ネットワークの運用及び保守負荷も増加する可能性がある。
【０２１３】
これを考慮して、この出願は、端末装置の無線能力の変化を処理するための方法を提供する。この出願の実施形態では、UEの無線能力が変化したとき、eNBは、指示情報を使用することによりUEの無線能力の変化を習得し、UEの無線能力が変化する前に保持されたコンテキストを削除及び更新でき、それにより、UEが無線リソース一時停止状態にあるとき、UEの無線能力の変化が、RRC  resumeにおいてエラーを引き起こすか或いはネットワーク負荷を増加させるという問題を解決する。
【０２１４】
以下に、この出願の実施形態について具体例を参照して詳細に説明する。当該説明は、当業者がこの出願の実施形態をより良く理解するのを助けることを単に意図しており、この出願の実施形態の範囲を限定することを意図するものではない点に留意すべきである。
【０２１５】
図９は、この出願の実施形態に従って端末装置の無線能力の変化を処理するための方法の概略図である。図９に示す方法は、図１〜図４におけるシステムに適用されてもよい。
【０２１６】
S110.アクセスネットワーク装置は、指示情報を受信し、アクセスネットワーク装置は、端末装置の無線能力情報を記憶し、指示情報は、端末装置の無線能力が変化したことを示すために使用されるか、或いは、アクセスネットワーク装置から端末装置の現在の無線能力を要求するために使用される。
【０２１７】
S120.アクセスネットワーク装置は、指示情報に従って端末装置の無線能力情報を取得する。
【０２１８】
例えば、アクセスネットワーク装置は、指示情報に従って、アクセスネットワーク装置に記憶されている端末装置の無線能力情報を削除してもよく、アクセスネットワーク装置は、指示情報に従って、端末装置の現在の無線能力情報を要求してもよく、或いは、アクセスネットワーク装置は、指示情報に従って、端末装置の現在の無線能力情報を更新してもよい。
【０２１９】
任意選択で、アクセスネットワーク装置により、指示情報を受信することは、
アクセスネットワーク装置により、端末装置により送信された第1のメッセージを受信し、第1のメッセージは、無線リソース制御接続を再開することを要求するために使用され、第1のメッセージは指示情報を含むことを含む。
【０２２０】
例えば、第1のメッセージは、無線リソース再開(RRC  Resume)手順における無線再開要求(RRC  connection  resume  request)メッセージでもよく、或いは、無線リソース再開手順において端末装置によりアクセスネットワーク装置に送信される他のメッセージでもよい。
【０２２１】
任意選択で、この出願のこの実施形態では、端末装置が第1のメッセージをアクセスネットワーク装置に送信するとき、当該方法は、
端末装置により、シグナリング無線ベアラ及びアクセス層のセキュリティを再開し、データ無線ベアラを再開するのをスキップすることを更に含む。
【０２２２】
任意選択で、当該方法は、端末装置により、アクセスネットワーク装置により送信されたデータ無線ベアラ構成を受信し、端末装置により、データ無線ベアラ構成に基づいてデータ無線ベアラを再開することを更に含む。
【０２２３】
データ無線ベアラ構成は、新たな無線能力に基づいてアクセスネットワーク装置により構成される点に留意すべきである。
【０２２４】
任意選択で、アクセスネットワーク装置は、端末装置により送信された第2のメッセージを受信する。第2のメッセージは、無線リソース制御再開が完了したことを示すために使用され、第2のメッセージは指示情報を含む。
【０２２５】
例えば、第2のメッセージは、無線リソース再開(RRC  Resume)手順における無線再開完了(RRC  connection  resume  complete)メッセージでもよく、或いは、無線リソース再開手順において端末装置によりアクセスネットワーク装置に送信される他のメッセージでもよい。
【０２２６】
任意選択で、アクセスネットワーク装置は、端末装置により送信された第3のメッセージを受信する。第3のメッセージは、無線リソース制御接続が確立されたことを示すために使用され、第3のメッセージは識別情報を含む。
【０２２７】
例えば、第3のメッセージは、無線リソース制御接続確立手順における無線リソース制御接続確立完了メッセージ、又は無線リソース制御接続確立手順における他のメッセージでもよい。
【０２２８】
この出願のこの実施形態では、端末装置は、指示情報をアクセスネットワーク装置に送信する。指示情報は、端末装置の無線能力が変化したことを示すために使用されるか、或いは、アクセスネットワーク装置に対して端末装置の無線能力情報を更新するように命令するために使用される。
【０２２９】
指示情報は、端末装置により送信される第1のメッセージ、第2のメッセージ又は第3のメッセージで搬送されてもよいことが理解されるべきである。
【０２３０】
任意選択で、アクセスネットワーク装置により、指示情報を受信することは、
アクセスネットワーク装置により、コアネットワーク装置により送信された指示情報を受信し、指示情報は、端末装置の無線能力が変化したことを示し、
アクセスネットワーク装置により、指示情報に従ってアクセスネットワーク装置に記憶されている無線能力情報を更新することを含む。
【０２３１】
任意選択で、指示情報が、アクセスネットワーク装置から端末装置の現在の無線能力を要求するために使用されるとき、当該方法は、コアネットワーク装置により、指示情報を送信し、アクセスネットワーク装置により、更新指示を受信することを更に含む。更新指示は、アクセスネットワーク装置に対して、端末装置の無線能力情報を更新するように命令するために使用され、更新指示及び指示情報は同じメッセージで搬送される。
【０２３２】
任意選択で、当該方法は、
アクセスネットワーク装置により、アクセスネットワーク装置が端末装置から無線能力を取得する前に記憶されている端末装置の無線能力情報を削除することを更に含む。
【０２３３】
任意選択で、無線能力は、端末装置によりサポートされるシステム情報又は送受信能力のうち少なくとも1つを含む。この出願のこの実施形態では、コアネットワーク装置は、指示情報をアクセスネットワーク装置に送信してもよく、指示情報は、端末装置の無線能力が変化したことを示すために使用されるか、或いは、アクセスネットワーク装置から端末装置の現在の無線能力を要求するために使用される。
【０２３４】
例えば、コアネットワーク装置は、端末装置が接続状態にあるとき、指示情報をアクセスネットワーク装置に送信する。
【０２３５】
任意選択で、コアネットワーク装置は、更新指示をアクセスネットワーク装置に更に送信してもよい。更新指示は、アクセスネットワーク装置に対して、端末装置の無線能力情報を更新するように命令するために使用され、更新指示及び指示情報は同じメッセージで搬送される。
【０２３６】
上記の手順に従って、この出願では、図１０〜図１２が説明のための例として使用される。図１０〜図１２の後続の説明を参照する。
【０２３７】
この出願の実施形態では、アクセスネットワーク装置は、無線リソース再開識別情報を受信し、アクセスネットワーク装置は、端末装置の無線能力情報を記憶し、アクセスネットワーク装置は、識別情報に基づいてアクセスネットワーク装置内の端末装置のコンテキストを処理する。
【０２３８】
任意選択で、アクセスネットワーク装置により、識別情報に基づいてアクセスネットワーク装置内の端末装置のコンテキストを処理することは、アクセスネットワーク装置により、無線能力が端末装置から要求される前に記憶されている無線能力を削除すること、又はアクセスネットワーク装置により、命令メッセージを送信することを含む。命令メッセージは、第2のアクセスネットワーク装置に対して、端末装置のコンテキストを削除するように命令するために使用され、第2のアクセスネットワーク装置は、端末装置が一時停止状態に入るときに端末装置によりアクセスされるアクセスネットワーク装置である。
【０２３９】
任意選択で、当該方法は、アクセスネットワーク装置により、端末装置により送信された第3のメッセージを受信することを更に含む。第3のメッセージは、無線リソース制御接続確立が完了したことを示すために使用され、第3のメッセージは指示情報を含む。
【０２４０】
この出願の実施形態では、端末装置は、端末装置が一時停止状態又は無線リソース制御非アクティブ状態にあり且つ端末装置の無線能力が変化したことに基づいて、無線リソース制御接続確立メッセージを開始する点に留意すべきである。
【０２４１】
例えば、端末装置の非アクセス層は、端末装置のアクセス層に対して、無線リソース制御接続確立メッセージを開始するように命令する。
【０２４２】
任意選択で、無線リソース制御接続確立メッセージは、無線リソース再開識別情報を含む。
【０２４３】
任意選択で、無線リソース制御接続確立メッセージは、指示情報を更に含む。指示情報は、端末装置の無線能力が変化したことを示すために使用されるか、或いは、アクセスネットワーク装置から端末装置の現在の無線能力を要求するために使用される。
【０２４４】
上記の手順に従って、この出願では、図１３〜図１５が説明のための例として使用される。図１３〜図１５の後続の説明を参照する。
【０２４５】
例えば、図１０は、この出願の実施形態による端末装置の無線能力の変化を処理するための方法の概略図である。
【０２４６】
図１０において、アクセスネットワーク装置は、4GシステムにおけるeNBでもよく、或いは、5GシステムにおけるgNBでもよく、コアネットワーク装置は、4GシステムにおけるMMEエンティティでもよく、或いは、5GシステムにおけるAMFエンティティでもよいことが理解されるべきである。これは、この出願では限定されない。
【０２４７】
図１０に示す端末装置の無線能力の変化を処理するための方法は、RRC  resume手順を変更することにより取得され、RRC  resumeメッセージは、UEの無線能力が変化したことを示す指示情報を含んでもよい。
【０２４８】
S301.端末装置は、アクセスネットワーク装置へのランダムアクセス手順を開始する。
【０２４９】
S302a.UEは、接続を再開するために、無線リソース接続再開要求(RRC  connection  resume  request)メッセージをアクセスネットワーク装置に送信する。メッセージは、UE無線能力変化指示(UE  capability  changed  indication)情報及び接続再開識別(Resume  ID)情報を含んでもよい。
【０２５０】
UE  capability  changed  indicationは、UEの無線能力が変化したことを示すために使用されてもよい。
【０２５１】
S302b.アクセスネットワーク装置は、無線リソース接続再開メッセージ(RRC  connection  resume)を端末装置に送信する。
【０２５２】
S302c.UEはSRB、DRB及びASの全てのセキュリティを再開し、UEはRRC-connected状態に入る。
【０２５３】
S302d.UEは、無線リソース接続再開完了(RRC  connection  Resume  complete)メッセージを使用することによりアクセスネットワーク装置に応答し、RRC接続が正常に再開されたと決定する。
【０２５４】
任意選択で、この出願のこの実施形態では、無線リソース接続再開完了(RRC  connection  Resume  complete)メッセージもまた、指示情報を搬送してもよい。指示情報は、端末装置の第1の無線能力が変化したことを示すために使用されてもよく、或いは、アクセスネットワーク装置に対して、端末装置の第1の無線能力のコンテキストを削除又は更新するように命令するために使用されてもよい。
【０２５５】
S303.アクセスネットワーク装置は、UEからUEの無線能力を要求する。
【０２５６】
この出願のこの実施形態では、UEは、指示情報に従ってUEからUEの無線能力を要求する点に留意すべきである。言い換えると、指示情報は、UEの無線能力を要求するためのトリガ条件として考えられてもよい。
【０２５７】
S304.UEは、UEの無線能力をアクセスネットワーク装置に報告する。
【０２５８】
例えば、一時停止状態のUEの無線能力は第1の無線能力であり、UEの現在の無線能力は第2の無線能力でもよい。
【０２５９】
S305:アクセスネットワーク装置は、ステップS302aにおけるUEの指示情報に従って、アクセスネットワーク装置に記憶されているUEの無線能力の古いコンテキストを削除し、当該コンテキストをUEの無線能力の新たなコンテキストに更新する。
【０２６０】
この出願の実施形態では、アクセスネットワーク装置は、まず、UEの古い無線能力情報を削除し、次いで、端末装置から端末装置の無線能力を要求してもよい点に留意すべきである。
【０２６１】
例えば、UEが一時停止状態にあるとき、第1の無線能力が変化し、UEの第1の無線能力のコンテキストはアクセスネットワーク装置に記憶される。UEの無線能力が現在の第2の無線能力に変化したとき、UEに記憶されている第1の無線能力のコンテキストは削除される必要があり、アクセスネットワーク装置に記憶されているUEの無線能力のコンテキストは、第2の無線能力に基づいて更新される必要がある。
【０２６２】
この出願のこの実施形態では、UEの第1の無線能力が変化したとき、アクセスネットワーク装置は、指示情報に従って、UEの現在の無線能力、例えば、第2の無線能力を取得することが理解されるべきである。アクセスネットワーク装置は、UEの第1の無線能力のコンテキストを削除してもよいが、UEの第1の無線能力のコンテキスト以外のコンテキストを削除しない。
【０２６３】
S306.アクセスネットワーク装置は、UEの新たな無線能力をコアネットワーク装置に送信するために、UE無線能力指示(capability  info  indication)メッセージをコアネットワーク装置に送信する。
【０２６４】
S307.コアネットワーク装置は、無線能力指示メッセージ応答をアクセスネットワーク装置に送信する。
【０２６５】
S308.アクセスネットワーク装置は、UEの更新された無線能力に基づいてRRC接続を再構成する。
【０２６６】
この出願のこの実施形態では、UE能力変化指示情報は、RRC  connection  resume  requestメッセージ又はRRC  connection  resume  requestメッセージでアップロードされてもよく、TAU手順は、UEの無線能力の変化の指示を報告するためにトリガされる必要はなく、それにより、アクセスネットワーク装置及びコアネットワーク装置は、UEの無線能力が変化したことをより早く習得し、適時に調整を実行でき、それにより、TAU手順のシグナリングオーバーヘッドを低減し、システムリソースを節約する。
【０２６７】
上記のプロセスのシーケンス番号は、実行順序を意味しないことが理解されるべきである。プロセスの実行順序は、プロセスの機能及び内部ロジックに基づいて決定されるべきであり、この出願の実施形態の実現プロセスに対する限定として解釈されるべきでない。
【０２６８】
図１０に示す端末装置の無線能力の変化を処理するための方法によれば、UEの無線能力が変化し、UEは、SRB、DRB及びASの全てのセキュリティを再開する。UEの無線能力が変化するが、アクセスネットワーク装置は、UEの無線能力が変化したことを示す情報を取得せず、すなわち、アクセスネットワーク装置は、UEの無線能力が変化したことを認識しなくてもよい。この場合、DRBが確立されるのが失敗する可能性がある。図１１は、端末装置の無線能力の変化を処理するための方法の概略図を示しており、DRBが確立されるのが失敗する可能性があるという問題が回避される。
【０２６９】
図１１において、アクセスネットワーク装置は、4GシステムにおけるeNBでもよく、或いは、5GシステムにおけるgNBでもよく、コアネットワーク装置は、4GシステムにおけるMMEエンティティでもよく、或いは、5GシステムにおけるAMFエンティティでもよいことが理解されるべきである。これは、この出願では限定されない。
【０２７０】
S401.端末装置は、アクセスネットワーク装置へのランダムアクセス手順を開始する。
【０２７１】
S402a.UEは、接続を再開するために、無線リソース接続再開要求(RRC  connection  Resume  request)メッセージをアクセスネットワーク装置に送信する。メッセージは、UE無線能力変化指示(UE  capability  changed  indication)情報及び接続再開識別(Resume  ID)情報を含んでもよい。
【０２７２】
UE  capability  changed  indicationは、UEの無線能力が変化したことを示すために使用されてもよい。
【０２７３】
S402b.アクセスネットワーク装置は、無線リソース接続再開メッセージ(RRC  connection  resume)応答を端末装置に送信する。
【０２７４】
S402c.UEの無線能力が変化したので、UEはSRB及びASの全てのセキュリティを再開するが、UEは一時的にDRBを確立しない。
【０２７５】
S403.アクセスネットワーク装置は、UEからUEの無線能力を要求する。
【０２７６】
この出願のこの実施形態では、UEは、指示情報に従ってUEからUEの無線能力を要求する点に留意すべきである。言い換えると、指示情報は、UEの無線能力を要求するためのトリガ条件として考えられてもよい。
【０２７７】
S404.UEは、UEの無線能力をアクセスネットワーク装置に報告する。
【０２７８】
例えば、UEが一時停止状態に入ったときのUEの無線能力は第1の無線能力であり、UEの現在の無線能力は第2の無線能力でもよい。
【０２７９】
S404b.アクセスネットワーク装置は、UEの無線能力及びアクセスネットワーク装置の状態に基づいてUEのDRB構成を構成する。
【０２８０】
S405.UEは、アクセスネットワーク装置のDRB構成に基づいて、DRBが無線リソース接続状態に入ることを再開する。
【０２８１】
S406.UEは、無線リソース接続再開完了(RRC  connection  Resume  complete)メッセージを使用することによりアクセスネットワーク装置に応答し、RRC接続が正常に再開されたと決定する。
【０２８２】
S407:アクセスネットワーク装置は、ステップS402aにおけるUEの指示情報に従って、アクセスネットワーク装置に記憶されているUEの無線能力の古いコンテキストを削除し、当該コンテキストをUEの無線能力の新たなコンテキストに更新する。
【０２８３】
例えば、UEが一時停止状態にあるとき、第1の無線能力が変化し、UEの第1の無線能力のコンテキストはアクセスネットワーク装置に記憶される。UEの無線能力が現在の第2の無線能力に変化したとき、UEに記憶されている第1の無線能力のコンテキストは削除される必要があり、アクセスネットワーク装置に記憶されているUEの無線能力のコンテキストは、第2の無線能力に基づいて更新される必要がある。
【０２８４】
この出願のこの実施形態では、UEの第1の無線能力が変化したとき、アクセスネットワーク装置は、指示情報に従って、UEの現在の無線能力、例えば、第2の無線能力を取得することが理解されるべきである。アクセスネットワーク装置は、UEの第1の無線能力のコンテキストを削除してもよいが、UEの第1の無線能力のコンテキスト以外の他のコンテキストを削除しない。
【０２８５】
S408.アクセスネットワーク装置は、UEの新たな無線能力をコアネットワーク装置に送信するために、UE無線能力指示(capability  info  indication)メッセージをコアネットワーク装置に送信する。
【０２８６】
S409.コアネットワーク装置は、無線能力指示メッセージ応答をアクセスネットワーク装置に送信する。
【０２８７】
S410.アクセスネットワーク装置は、UEの更新された無線能力に基づいてRRC接続を再構成する。
【０２８８】
この出願のこの実施形態では、UE能力変化指示情報は、RRC  connection  resume  requestメッセージ又はRRC  connection  resume  requestメッセージでアップロードされてもよく、TAU手順は、UEの無線能力の変化の指示を報告するためにトリガされる必要はなく、それにより、アクセスネットワーク装置及びコアネットワーク装置は、UEの無線能力が変化したことをより早く習得し、適時に調整を実行でき、それにより、TAU手順のシグナリングオーバーヘッドを低減し、システムリソースを節約する。さらに、アクセスネットワーク装置は、UEの無線能力を取得した後にDRBを確立し、それにより、DRBが確立されるのが失敗する場合を回避する。
【０２８９】
上記のプロセスのシーケンス番号は、実行順序を意味しないことが理解されるべきである。プロセスの実行順序は、プロセスの機能及び内部ロジックに基づいて決定されるべきであり、この出願の実施形態の実現プロセスに対する限定として解釈されるべきでない。
【０２９０】
図１０及び図１１に示す端末装置の無線能力の変化を処理するための方法において、RRC  resumeメッセージは、UEの無線能力が変化したことを示す指示情報を含む。アクセスネットワーク装置は、UEの指示情報に従って、UEからUEの無線能力を要求する。これは、UEの無線能力が一時停止状態で変化したとき、アクセスネットワーク装置がsuspend/resume機構でUEの無線能力のコンテキストを記憶し、UEの無線能力が変化した場合、アクセスネットワーク装置が、依然としてアクセスネットワーク装置に記憶されているUEの無線能力に基づいてUEのRRC  resumeを処理し、再開にエラーを引き起こすという問題を解決する。
【０２９１】
しかし、UEの無線能力が変化したとき、アクセスネットワーク装置は、依然としてアクセスネットワーク装置に記憶されているUEの無線能力に基づいてUEのRRC  resumeを処理し、RRC  resumeは、代替として成功してもよい。この場合、アクセスネットワークは、アクセスネットワークに記憶されているUEの古いコンテキストを削除するように命令される必要がある。suspend/resume機構について、コアネットワーク装置がアクセスネットワーク装置に対して、UEのコンテキストを削除するように命令する方式は存在しない。
【０２９２】
図１２は、この出願の実施形態に従って端末装置の無線能力の変化を処理するための方法の概略図である。
【０２９３】
図１２において、アクセスネットワーク装置は、4GシステムにおけるeNBでもよく、或いは、5GシステムにおけるgNBでもよく、コアネットワーク装置は、4GシステムにおけるMMEエンティティでもよく、或いは、5GシステムにおけるAMFエンティティでもよいことが理解されるべきである。これは、この出願では限定されない。
【０２９４】
任意選択で、S501はRRC  resumeについてのものである。UEの能力が変化するが、RRC  resumeは依然として成功し、アクセスネットワーク装置は、依然として古いUE能力を記憶する。
【０２９５】
任意選択で、S501はRRC接続確立についてのものである。UEの能力が変化し、無線リソース制御接続がRRC接続確立を通じて確立される。
【０２９６】
具体的には、UEの第1の無線能力が変化し、UEはRRC  suspend状態にある。UEは、RRC  resume手順をトリガするのではなく、従来のRRC  connection  establishment手順を開始することを決定する。
【０２９７】
例えば、UEの第1の無線能力が変化し、UEはRRC  suspend状態にある。UEは、RRC  resume手順をトリガするのではなく、NASレイヤを使用することにより、従来のRRC  connection  establishment手順を開始するようにASレイヤをトリガすることを決定する。
【０２９８】
RRC  connection  establishment手順において、UE能力変化指示情報は搬送されなくてもよく、UEは無線リソース制御接続が正常に確立された後に、TAUにおいてNASを使用することにより指示情報をMMEに送信することが理解されるべきである。RRC  resume手順については、図１０及び図１１におけるステップを参照することが理解されるべきである。
【０２９９】
S502.UEにより送信されたNASメッセージは、UE能力変化指示を含む。
【０３００】
S503:コアネットワーク装置は、UEの能力が更新され、UEの古い無線能力の記憶されているコンテキストが削除されるべきであるか、或いは、UEの現在の無線能力がアクセスネットワーク装置から要求されるべきであることをアクセスネットワーク装置に通知する。
【０３０１】
任意選択で、コアネットワーク装置は、指示情報をアクセスネットワーク装置に送信してもよい。指示情報は、端末装置の無線能力が変化したことを示すために使用され、アクセスネットワーク装置は、指示情報に従って端末装置の無線能力を更新する。
【０３０２】
この出願のこの実施形態では、コアネットワーク装置は、指示情報をアクセスネットワーク装置に送信してもよく、指示情報は、端末装置の無線能力が変化したことを示すために使用され、アクセスネットワーク装置は、指示情報に従って、アクセスネットワーク装置に記憶されている無線能力情報を更新してもよい点に留意すべきである。代替として、コアネットワーク装置は、指示情報をアクセスネットワーク装置に送信してもよく、指示情報は、アクセスネットワーク装置から端末装置の現在の無線能力を要求するために使用され、コアネットワーク装置は、更新指示をアクセスネットワーク装置に更に送信してもよく、更新指示は、アクセスネットワーク装置に対して、端末装置の無線能力情報を更新するように命令するために使用され、指示情報及び更新指示は同じメッセージで送信されてもよく或いは異なるメッセージで送信されてもよい。
【０３０３】
任意選択で、コアネットワーク装置は、アクセスネットワーク装置がUEの記憶されている古いコンテキストを削除又は更新する必要があること、例えば、UEの第1の無線能力のコンテキストを削除する必要があることを示すために、新たなメッセージを使用する。
【０３０４】
任意選択で、アクセスネットワーク装置は、アクセスネットワーク装置がUEの記憶されている古いコンテキストを削除する必要があること、例えば、UEの第1の無線能力のコンテキストを削除する必要があることを示すために、既存のメッセージを使用する。
【０３０５】
例えば、情報要素が接続確立指示(connection  establishment  indication)メッセージに追加され、アクセスネットワーク装置に対して、UEの古いコンテキストを削除又は更新するように命令するために使用される。
【０３０６】
具体的には、従来技術では、接続確立指示(connection  establishment  indication)メッセージについて、メッセージがUE  radio  capability  IEを含む場合、アクセスネットワーク装置は、UEの無線能力を記憶する。メッセージがUE  radio  capability  IEを含まない場合、アクセスネットワーク装置は、UEの無線能力を取得し、コアネットワーク装置に報告する必要がある。
【０３０７】
従来技術の問題は、connection  establishment  indicationメッセージがUE  radio  capability  IEを含まない場合、アクセスネットワーク装置がUEの第1の無線能力(UEが以前に一時停止されたときに記憶される)を記憶していることをアクセスネットワーク装置が見出したとき、アクセスネットワーク装置は、UEからUEの現在の無線能力を取得せず、第1の無線能力をコアネットワーク装置に報告する点にある。
【０３０８】
この出願の実施形態では、情報要素がconnection  establishment  indicationメッセージに追加されてもよく、情報要素は指示情報でもよい。
【０３０９】
例えば、指示情報は、アクセスネットワーク装置に対して、UEの古いコンテキストを削除するように、例えば、UEの第1の無線能力のコンテキストを削除するように直接命令してもよい。例えば、指示情報は、UEの無線能力が変化したことを示してもよい。
【０３１０】
例えば、指示情報は、アクセスネットワーク装置に対して、UEの既存のコンテキストを更新するように命令してもよい。この場合、コアネットワーク装置は、UEの無線能力が変化したと決定する必要があり、コアネットワーク装置は、UEのコンテキストを記憶する。
【０３１１】
コアネットワーク装置が指示情報をアクセスネットワーク装置に送信しない場合、アクセスネットワーク装置の処理機構も変更されてもよい。アクセスネットワーク装置は、アクセスネットワーク装置がUEのコンテキストを記憶すると決定し、コアネットワーク装置のメッセージを受信した後に記憶されているコンテキストを更新又は削除する。
【０３１２】
任意選択で、コアネットワーク装置によりアクセスネットワーク装置に送信されるダウンリンク非アクセス層メッセージ又はコアネットワーク装置によりアクセスネットワーク装置に送信されるUE送信メッセージにおいて、アクセスネットワーク装置は、UEのコンテキストを更新又は削除するように命令される。
【０３１３】
例えば、ダウンリンク非アクセス層メッセージがUE  radio  capability  requestを含む(すなわち、UE  capability  info  request  IEがrequestedに設定される)場合、アクセスネットワーク装置は、UEの無線能力を取得し、コアネットワーク装置に報告する必要がある。
【０３１４】
代替として、ダウンリンク非アクセス層メッセージがUE  radio  capability  update/updatedを含む(すなわち、UE  capability  info  request  IEがupdate/updatedに設定される)場合、アクセスネットワーク装置は、UEの無線能力を取得し、コアネットワーク装置に報告する必要がある。
【０３１５】
代替として、ダウンリンク非アクセス層メッセージがUE  radio  capability  request及びUE  radio  capability  update/updatedの双方を含む(すなわち、UE  capability  info  request  IEがupdate/updatedに設定される)場合、アクセスネットワーク装置は、UEの無線能力を取得し、コアネットワーク装置に報告する必要がある。
【０３１６】
S504.アクセスネットワーク装置は、UEからUEの無線能力を要求する。
【０３１７】
この出願のこの実施形態では、RANは、指示情報に従ってUEからUEの無線能力を要求する点に留意すべきである。言い換えると、指示情報は、UEの無線能力を要求するためのトリガ条件として考えられてもよい。
【０３１８】
S505.UEは、UEの無線能力をアクセスネットワーク装置に報告する。
【０３１９】
例えば、UEが一時停止状態に入ったときのUEの無線能力は第1の無線能力であり、UEの現在の無線能力は第2の無線能力でもよい。
【０３２０】
S506:アクセスネットワーク装置は、アクセスネットワーク装置に記憶されているUEの無線能力の古いコンテキストを削除し、当該コンテキストをUEの無線能力の新たなコンテキストに更新する。
【０３２１】
例えば、UEが一時停止状態にあるとき、第1の無線能力が変化し、UEの第1の無線能力のコンテキストはアクセスネットワーク装置に記憶される。UEの無線能力が現在の第2の無線能力に変化したとき、UEに記憶されている第1の無線能力のコンテキストは削除される必要があり、アクセスネットワーク装置に記憶されているUEの無線能力のコンテキストは、第2の無線能力に基づいて更新される必要がある。
【０３２２】
この出願のこの実施形態では、UEの第1の無線能力が変化したとき、アクセスネットワーク装置は、指示情報に従って、UEの現在の無線能力、例えば、第2の無線能力を取得することが理解されるべきである。アクセスネットワーク装置は、UEの第1の無線能力のコンテキストを削除してもよいが、UEの第1の無線能力のコンテキスト以外の他のコンテキストを削除しない。
【０３２３】
この出願のこの実施形態では、UEのRRC  resumeが成功しており、すなわち、これは、UEのコンテキストがRRC  resumeプロセスにおいて再利用されることを示す点に留意すべきである。この場合、アクセスネットワーク装置に保持された第1の無線能力のコンテキストは、第2の無線能力のような更新された無線能力に基づいて更新されてもよい。代替として、UEの従来の無線リソース接続確立(RRC  connection  establishment)手順が成功している。
【０３２４】
S507.アクセスネットワーク装置は、UEの更新された無線能力に基づいてRRC接続を再構成する。
【０３２５】
S508.コアネットワーク装置は、一時停止(Suspend)状態のアクセスネットワーク装置に記憶されている能力を再構成する。
【０３２６】
この出願のこの実施形態では、コアネットワーク装置は、アクセスネットワーク装置に対して、UEの古いコンテキストを削除するように命令してもよく、それにより、UEの無線能力が変化したとき、現在、suspend/resume機構において、コアネットワーク装置がアクセスネットワーク装置に対してUEのコンテキストを削除するように命令しないという問題を解決する。
【０３２７】
上記のプロセスのシーケンス番号は、実行順序を意味しないことが理解されるべきである。プロセスの実行順序は、プロセスの機能及び内部ロジックに基づいて決定されるべきであり、この出願の実施形態の実現プロセスに対する限定として解釈されるべきでない。
【０３２８】
図１０〜図１２は、UEが一時停止状態にあり、UEの第1の無線能力が変化したとき、RRC  resume手順において端末装置の無線能力の変化を処理するための方法を示す。この出願のこの実施形態では、UEが一時停止状態にあるとき、UEは、RRC  resume手順を開始しないが、従来の無線リソース接続確立(RRC  connection  establishment)手順を開始することを決定してもよい。
【０３２９】
以下に、図１３〜図１５による例を使用することにより説明を提供する。以下に、この出願の実施形態の具体的な実現方式について、具体例を参照してより詳細に説明することが理解されるべきである。以下の例は、この出願の実施形態を例に示す具体的な値又は具体的なシナリオに限定するのではなく、単に当業者がこの出願の実施形態を理解するのを助けることを意図するものである点に留意すべきである。明らかに、当業者は、以下に提供される例に基づいて、様々な等価な変更又は変形を行うことができ、このような変更又は変形もまた、この出願の実施形態の範囲に入るものとする。
【０３３０】
図１３は、この出願の実施形態に従って端末装置の無線能力の変化を処理するための方法の相互作用フローチャートである。
【０３３１】
図１３において、アクセスネットワーク装置は、4GシステムにおけるeNBでもよく、或いは、5GシステムにおけるgNBでもよく、コアネットワーク装置は、4GシステムにおけるMMEエンティティでもよく、或いは、5GシステムにおけるAMFエンティティでもよいことが理解されるべきである。これは、この出願では限定されない。
【０３３２】
この出願のこの実施形態では、UEがRRC  suspend状態又はRRC  inactive状態にあるとき、UEの無線能力が変化し、UEは、RRC  resume手順をトリガするのではなく、従来のRRC  connection  setup手順を開始することを決定することが理解されるべきである。このように、アクセスネットワーク装置は、対応する方式でUEの能力を更新できる。さらに、アクセスネットワーク装置は、アクセスネットワーク装置に記憶されているUEの古いコンテキストを削除する。
【０３３３】
S601.UEの第1の無線能力が変化し、UEはRRC  suspend状態にある。UEは、RRC  resume手順をトリガするのではなく、従来のRRC  connection  establishment手順を開始することを決定する。
【０３３４】
例えば、UEの第1の無線能力が変化し、UEはRRC  suspend状態にある。UEは、RRC  resume手順をトリガするのではなく、NASレイヤを使用することにより、従来のRRC  connection  establishment手順を開始するようにASレイヤをトリガすることを決定する。
【０３３５】
S602.UEは、従来のRRC  connection  establishment手順を開始し、指示情報及び無線リソース再開識別(UE  capability  changed  indication、RRC  Resume  ID)情報のうち少なくとも1つを搬送する。
【０３３６】
具体的には、図１４は、UEにより開始される従来の無線リソース接続確立(RRC  connection  establishment)手順の概略図である。当該手順は以下のステップを含む。
【０３３７】
S701.UEは、RRC接続を確立することを要求するために、無線リソース接続確立要求(RRC  connection  request)メッセージを開始する。
【０３３８】
S702.EUTRANは、UEに対してRRC接続を確立するように命令するために、無線リソース接続確立(RRC  connection  setup)メッセージを送信する。
【０３３９】
S703.UEは、無線リソース接続確立完了(RRC  Connection  Setup  Complete)メッセージを送信し、メッセージは、指示情報及び無線リソース再開識別(UE  capability  changed  indication,  RRC  Resume  ID)情報のうち少なくとも1つを搬送してもよい。
【０３４０】
S603.アクセスネットワーク装置は、UEからUEの無線能力を要求する。
【０３４１】
この出願のこの実施形態では、UEは、指示情報に従ってUEからUEの無線能力を要求する点に留意すべきである。言い換えると、指示情報は、UEの無線能力を要求するためのトリガ条件として考えられてもよい。
【０３４２】
S604.UEは、UEの無線能力をアクセスネットワーク装置に報告する。
【０３４３】
例えば、一時停止状態のUEの無線能力は第1の無線能力であり、UEの現在の無線能力は第2の無線能力でもよい。
【０３４４】
S605:アクセスネットワーク装置は、UEにより提供された指示情報(RRC  Resume  ID)に従って、アクセスネットワーク装置に記憶されているUEの古いコンテキストを削除する。
【０３４５】
S606.アクセスネットワーク装置は、UEの新たな無線能力をコアネットワーク装置に報告する。
【０３４６】
S607.コアネットワーク装置は、新たなコンテキストを記憶し、以前に記憶されているコンテキストを削除する。この出願のこの実施形態では、RRC  suspend状態のUEは、RRC  resume手順を開始するのではなく、RRC  connection  establishment手順を直接開始してもよく、それにより、無線能力の変化により引き起こされるRRC  resume手順の障害を回避する。さらに、UE能力変化指示はRRC確立メッセージで搬送され、それにより、アクセスネットワーク装置及びコアネットワーク装置は、UEの無線能力の変化をより早く習得でき、変化を通知するためにTAU手順が実行される必要はない。resume  IDは、アクセスネットワーク装置に対して、UEの対応するコンテキストを削除するように命令するために、RRC  connection  establishment手順において搬送される。
【０３４７】
上記のプロセスのシーケンス番号は、実行順序を意味しないことが理解されるべきである。プロセスの実行順序は、プロセスの機能及び内部ロジックに基づいて決定されるべきであり、この出願の実施形態の実現プロセスに対する限定として解釈されるべきでない。
【０３４８】
一例では、UEがRRC  suspend状態にあるとき、UEは、従来の無線リソース接続確立手順(RRC  connection  setup)を開始するために、新たなアクセスネットワーク装置のカバレッジに移動してもよい。この場合、新たなアクセスネットワーク装置は、古いアクセスネットワーク装置に対して、UEのコンテキスト情報を削除するように命令する必要がある。古いアクセスネットワーク装置は、UEがRRC  suspend状態になる前にUEによりアクセスされるアクセスネットワーク装置でもよいことが理解されるべきである。以下に、この出願の実施形態の具体的な実現方式について、具体例を参照してより詳細に説明する。以下の例は、この出願の実施形態を例に示す具体的な値又は具体的なシナリオに限定するのではなく、単に当業者がこの出願の実施形態を理解するのを助けることを意図するものである点に留意すべきである。明らかに、当業者は、以下に提供される例に基づいて、様々な等価な変更又は変形を行うことができ、このような変更又は変形もまた、この出願の実施形態の範囲に入るものとする。
【０３４９】
例えば、図１５は、この出願の実施形態による端末装置の無線能力の変化を処理するための方法の相互作用フローチャートである。
【０３５０】
図１５において、アクセスネットワーク装置は、4GシステムにおけるeNBでもよく、或いは、5GシステムにおけるgNBでもよく、コアネットワーク装置は、4GシステムにおけるMMEエンティティでもよく、或いは、5GシステムにおけるAMFエンティティでもよいことが理解されるべきである。これは、この出願では限定されない。
【０３５１】
図１５において、第1のアクセスネットワーク装置は、UEが移動した後の新たなアクセスネットワーク装置でもよく、第2のアクセスネットワーク装置は、UEがRRC  suspend状態に入るときにUEによりアクセスされるアクセスネットワーク装置、すなわち、UEが移動する前にUEによりアクセスされる古いアクセスネットワーク装置でもよいことが理解されるべきである。
【０３５２】
S801.UEの第1の無線能力が変化し、UEはRRC  suspend状態にある。UEは、RRC  resume手順をトリガするのではなく、従来のRRC  connection  establishment手順を開始することを決定する。
【０３５３】
S802.UEは従来のRRC  connection  establishment手順を開始し、指示情報及び無線リソース再開識別(UE  capability  changed  indication,  RRC  Resume  ID)情報のうち少なくとも1つを搬送する。
【０３５４】
例えば、図１４に示すように、UEは、無線リソース接続確立完了(RRC  connection  setup  complete)メッセージを送信する。メッセージは、指示情報及び無線リソース再開識別(UE  capability  changed  indication,  RRC  Resume  ID)情報を搬送してもよい。
【０３５５】
S803.第1のアクセスネットワーク装置は、UEからUEの無線能力を要求する。
【０３５６】
この出願のこの実施形態では、UEは、指示情報に従ってUEからUEの無線能力を要求する点に留意すべきである。言い換えると、指示情報は、UEの無線能力を要求するためのトリガ条件として考えられてもよい。
【０３５７】
S804.UEは、UEの無線能力を第1のアクセスネットワーク装置に報告する。
【０３５８】
例えば、一時停止状態のUEの無線能力は第1の無線能力であり、UEの現在の無線能力は第2の無線能力でもよい。
【０３５９】
S805.アクセスネットワーク装置は、UEの新たな無線能力をコアネットワーク装置に報告する。
【０３６０】
S806:第1のアクセスネットワーク装置は、UEにより提供されたRRC  resume  IDに従って、第2のアクセスネットワーク装置に対して、第2のアクセスネットワーク装置に記憶されているUEの古いコンテキストを削除するように命令する。
【０３６１】
UEが従来のRRC  connection  establishment手順を開始するとき、アクセスネットワーク装置は、UEのコンテキスト情報を使用する必要がないことが理解されるべきである。したがって、リソースを解放するために、UEが一時停止状態にある前に保持されたUEのコンテキスト情報が削除される必要がある。
【０３６２】
S807:第2のアクセスネットワーク装置は、第1のアクセスネットワーク装置により提供された識別情報(RRC  resume  ID)に従って、第2のアクセスネットワーク装置に記憶されているUEの古いコンテキストを削除する。
【０３６３】
S808.第2のアクセスネットワーク装置は、応答メッセージを第1のアクセスネットワーク装置に送信し、応答メッセージは、第1のアクセスネットワーク装置及び第2のアクセスネットワーク装置がUEの古いコンテキストを正常に削除したことを示すために使用される。
【０３６４】
この出願のこの実施形態では、UEは、RRC  resume手順を開始するのではなく、RRC  connection  establishment手順を直接開始してもよく、それにより、無線能力の変化により引き起こされるRRC  resume手順の障害を回避する。さらに、UE能力変化指示はRRC確立メッセージで搬送され、それにより、アクセスネットワーク装置及びコアネットワーク装置は、UEの無線能力の変化をより早く習得でき、変化を通知するためにTAU手順が実行される必要はない。resume  IDは、第2のアクセスネットワーク装置に対して、UEの対応するコンテキストを削除するように命令するために、RRC  connection  establishment手順において搬送される。
【０３６５】
上記のプロセスのシーケンス番号は、実行順序を意味しないことが理解されるべきである。プロセスの実行順序は、プロセスの機能及び内部ロジックに基づいて決定されるべきであり、この出願の実施形態の実現プロセスに対する限定として解釈されるべきでない。
【０３６６】
上記では、この出願の実施形態に従って端末装置の無線能力の変化を処理するための方法について詳細に説明している。この出願では、端末装置がRRC  suspend状態にあるとき、UEの第1の無線能力が変化し、端末装置はRRC  resume手順又は従来のRRC  connection  establishment手順を使用することにより無線リソース接続を確立してもよい。UEがRRC  resume手順を使用することにより無線リソース接続を再開するとき、アクセスネットワーク装置は、指示情報に従って、アクセスネットワーク装置に保持されたUEの第1の無線能力情報を削除する。UEが従来のRRC  connection  setup手順を使用することにより無線リソース接続を確立するとき、アクセスネットワーク装置は、無線リソース再開識別(RRC  Resume  ID)情報に基づいて、アクセスネットワーク装置に保持されたUEのコンテキストを削除し、それにより、無線リソース接続が一時停止状態で再開された後のUEの通信効率を改善する。この出願の実施形態における端末装置及びアクセスネットワーク装置は、この出願の上記の実施形態における方法を実行してもよいことが理解されるべきである。言い換えると、以下の製品の具体的な動作プロセスについては、上記の方法の実施形態における対応するプロセスを参照する。
【０３６７】
図１６は、この出願の実施形態に従って端末装置の無線能力の変化を処理するための装置の概略構造図である。図１６の装置900は、上記の説明においてアクセスネットワーク装置により実行されるステップ又は動作を対応して実現してもよく、トランシーバモジュール910と、処理モジュール920とを含んでもよい。
【０３６８】
実施形態では、トランシーバモジュール910は、指示情報を受信するように構成され、装置900は、端末装置の無線能力情報を記憶し、指示情報は、端末装置の無線能力が変化したことを示すために使用されるか、或いは、アクセスネットワーク装置から端末装置の現在の無線能力を要求するために使用され、
処理モジュール920は、指示情報に従って端末装置の現在の無線能力情報を取得するように構成される。
【０３６９】
この出願のこの実施形態では、一時停止状態のUEの無線能力が変化したとき、アクセスネットワーク装置は、指示情報に従って、アクセスネットワーク装置に保持された端末装置の無線能力のコンテキスト情報を処理し、それにより、端末装置は無線リソース接続を正常に再開でき、それにより、通信効率を改善する。
【０３７０】
任意選択で、トランシーバモジュール910は、
端末装置により送信された第1のメッセージを受信するように具体的に構成され、第1のメッセージは、一時停止状態の端末装置の無線リソースを再開することを要求するために使用され、第1のメッセージは指示情報を含む。
【０３７１】
任意選択で、トランシーバモジュール910は、
端末装置により送信された第2のメッセージを受信するように具体的に構成され、第2のメッセージは、端末装置に対して、一時停止状態の端末装置の無線リソースの再開を完了するように命令するために使用され、第2のメッセージは指示情報を含む。
【０３７２】
任意選択で、トランシーバモジュール910は、
端末装置により送信された第3のメッセージを受信するように具体的に構成され、第3のメッセージは、無線リソース制御接続が確立されたことを示すために使用され、第3のメッセージは識別情報を含む。
【０３７３】
任意選択で、トランシーバモジュール910は、
コアネットワーク装置により送信された第4のメッセージを受信するように具体的に構成され、第4のメッセージは、アクセスネットワーク装置に対して、アクセスネットワーク装置内の第1の無線能力情報を削除又は更新するように命令するために使用され、第4のメッセージは指示情報を含み、コアネットワーク装置は、モビリティ管理エンティティ又はアクセス及びモビリティ管理機能エンティティである。
【０３７４】
例えば、第4のメッセージは、アクセスネットワーク装置がUEの記憶されている古いコンテキストを削除又は更新する必要があることを示すために、コアネットワーク装置により使用される新たなメッセージでもよい。
【０３７５】
例えば、第4のメッセージは、アクセスネットワーク装置がUEの記憶されている古いコンテキストを削除又は更新する必要があることを示すために、コアネットワーク装置により使用される既存のメッセージでもよい。
【０３７６】
例えば、コアネットワーク装置は、情報要素を接続確立指示(connection  establishment  indication)メッセージに追加することにより、アクセスネットワーク装置に対して、UEの古いコンテキストを削除又は更新するように命令する。
【０３７７】
例えば、第4のメッセージは、アクセスネットワーク装置がUEの記憶されている古いコンテキストを削除する必要があることを示すために、コアネットワーク装置によりアクセスネットワーク装置に送信されるダウンリンク非アクセス層(downlink  NAS  transport)メッセージ又は端末装置転送(UE  information  transfer)メッセージでもよい。
【０３７８】
任意選択で、処理モジュール920は、
トランシーバモジュール910を使用することにより、コアネットワーク装置により送信された指示情報を受信し、指示情報に従って、アクセスネットワーク装置に記憶されている無線能力情報を更新するように更に構成される。
【０３７９】
任意選択で、トランシーバモジュール910は、更新指示を受信するように更に構成され、更新指示は、アクセスネットワーク装置に対して、端末装置の無線能力情報を更新するように命令するために使用され、指示情報はコアネットワーク装置により送信される。
【０３８０】
任意選択で、処理モジュール920は、処理モジュールが端末装置から無線能力情報を取得する前に記憶されている端末装置の無線能力情報を削除するように具体的に構成される。
【０３８１】
任意選択で、処理モジュール920は、
トランシーバモジュール910を使用することにより、指示情報に従って無線能力の要求メッセージを端末装置に送信し、
第2の無線能力に基づいて端末装置の無線能力情報を更新するように具体的に構成され、第2の無線能力は端末装置の現在の無線能力である。
【０３８２】
任意選択で、無線能力は、端末装置によりサポートされるシステム情報又は送受信能力のうち少なくとも1つを含む。
【０３８３】
実施形態では、トランシーバモジュール910は、無線リソース制御再開識別情報を受信するように構成され、装置900は、端末装置の無線能力情報を記憶し、
処理モジュール920は、識別情報に基づいてアクセスネットワーク装置内の端末装置のコンテキストを処理する。
【０３８４】
任意選択で、処理モジュール920は、
無線能力が端末装置から要求される前に記憶されている無線能力を削除するように具体的に構成されるか、或いは
アクセスネットワーク装置は、指示メッセージを送信し、指示メッセージは、第2のアクセスネットワーク装置に対して、端末装置のコンテキストを削除するように命令するために使用され、第2のアクセスネットワーク装置は、端末装置が一時停止状態に入るときに端末装置によりアクセスされるアクセスネットワーク装置である。
【０３８５】
任意選択で、トランシーバモジュール910は、
端末装置により送信された第3のメッセージを受信するように更に構成され、第3のメッセージは、無線リソース制御接続が確立されたことを示すために使用され、第4のメッセージは指示情報を含む。
【０３８６】
この出願のこの実施形態における装置900内のモジュールの実現方式、相互作用等については、方法の実施形態における関連する説明を参照することが理解され得る。
【０３８７】
図１７は、この出願の実施形態に従って端末装置の無線能力の変化を処理するための装置の概略構造図である。図１７の装置1100は、上記の説明において端末装置により実行されるステップ又は動作を対応して実現してもよく、トランシーバモジュール1110と、処理モジュール1120とを含んでもよい。
【０３８８】
実施形態では、トランシーバモジュール1110は、指示情報をアクセスネットワーク装置に送信するように構成され、指示情報は、端末装置の無線能力が変化したことを示すために使用されるか、或いは、アクセスネットワーク装置に対して、端末装置の無線能力を更新するように命令するために使用される。
【０３８９】
装置1100は、指示情報を生成するように、或いは、指示情報を決定するように構成された処理モジュール1120を更に含んでもよい。
【０３９０】
この出願のこの実施形態では、一時停止状態のUEの無線能力が変化したとき、アクセスネットワーク装置は、指示情報に従って、アクセスネットワーク装置に保持された端末装置の無線能力のコンテキスト情報を処理し、それにより、端末装置は無線リソース接続を正常に再開でき、それにより、通信効率を改善する。
【０３９１】
任意選択で、トランシーバモジュール1110は、
第1のメッセージをアクセスネットワーク装置に送信するように具体的に構成され、第1のメッセージは、無線リソース制御接続を再開することを要求するために使用され、第1のメッセージは指示情報を含む。
【０３９２】
任意選択で、トランシーバモジュール1110は、
第2のメッセージをアクセスネットワーク装置に送信するように具体的に構成され、第2のメッセージは、無線リソース制御接続再開が完了したことを示すために使用され、第2のメッセージは指示情報を含む。
【０３９３】
任意選択で、トランシーバモジュール1110は、
第3のメッセージをアクセスネットワーク装置に送信するように具体的に構成され、第3のメッセージは、無線リソース制御接続が確立されたことを示すために使用され、第3のメッセージは識別情報を含む。
【０３９４】
任意選択で、処理モジュール1120は、
シグナリング無線ベアラ及びアクセス層のセキュリティを再開し、データ無線ベアラを再開するのをスキップするように更に構成される。
【０３９５】
任意選択で、処理モジュール1120は、
トランシーバモジュール1110を使用することにより、アクセスネットワーク装置により送信されたデータ無線ベアラ構成を受信するように更に構成され、
トランシーバモジュールがアクセスネットワーク装置により送信されたデータ無線ベアラ構成を受信するように構成されるとき、処理モジュールは、データ無線ベアラ構成に基づいてデータ無線ベアラのセキュリティを再開するように構成される。
【０３９６】
実施形態では、処理モジュール1120は、トランシーバモジュール1110を使用することにより、端末装置が一時停止状態にあり且つ端末装置の無線能力が変化したこと、又は端末装置が無線リソース制御非アクティブ状態にあり且つ端末装置の無線能力が変化したことに基づいて、無線リソース制御接続確立メッセージを開始するように構成される。
【０３９７】
任意選択で、処理モジュール1120は、
非アクセス層を使用することにより、端末装置のアクセス層に対して、無線リソース制御接続確立メッセージを開始するように命令するように具体的に構成される。
【０３９８】
任意選択で、無線リソース制御接続確立メッセージは無線リソース再開識別情報を含む。
【０３９９】
任意選択で、無線リソース制御接続確立メッセージは指示情報を更に含み、指示情報は、端末装置の無線能力が変化したことを示すために使用されるか、或いは、アクセスネットワーク装置から端末装置の現在の無線能力を要求するために使用される。
【０４００】
この出願のこの実施形態における装置1100内のモジュールの実現方式、相互作用等については、方法の実施形態における関連する説明を参照することが理解され得る。
【０４０１】
図１８は、この出願の実施形態に従って端末装置の無線能力の変化を処理するための装置の概略構造図である。図１９の装置1200は、上記の説明においてコアネットワーク装置により実行されるステップ又は動作を対応して実現してもよく、トランシーバモジュール1210と、処理モジュール1220とを含んでもよい。
【０４０２】
トランシーバモジュール1210は、指示情報をアクセスネットワーク装置に送信するように構成され、指示情報は、端末装置の無線能力が変化したことを示すために使用されるか、或いは、アクセスネットワーク装置から端末装置の現在の無線能力を要求するために使用される。
【０４０３】
装置1200は、指示情報を生成するように、或いは、指示情報を決定するように構成された処理モジュール1220を更に含んでもよい。
【０４０４】
任意選択で、処理モジュール1220は、端末装置が接続状態にあるとき、トランシーバモジュールを使用することにより、指示情報をアクセスネットワーク装置に送信するように更に構成される。
【０４０５】
任意選択で、指示情報がアクセスネットワーク装置から端末装置の現在の無線能力を要求するために使用されるとき、トランシーバモジュール1210は、更新指示をアクセスネットワーク装置に送信するように更に構成され、更新指示は、アクセスネットワーク装置に対して、端末装置の無線能力情報を更新するように命令するために使用される。
【０４０６】
任意選択で、指示情報が端末装置の無線能力が変化したことを示すために使用されるとき、指示情報は、アクセスネットワーク装置に対して、指示情報に従って端末装置の無線能力を更新するように命令するために更に使用される。
【０４０７】
図１９は、端末装置の無線能力の変化を処理するための装置の概略構造図である。装置1300は、上記の方法の実施形態に記載のアクセスネットワーク装置に対応する方法を実現するように構成されてもよく、或いは、上記の方法の実施形態に記載の端末装置に対応する方法を実現するように構成されてもよい。詳細については、上記の方法の実施形態における説明を参照する。
【０４０８】
装置1300は、1つ以上のプロセッサ31を含んでもよい。プロセッサ31はまた、処理ユニットとも呼ばれ、制御機能を実現してもよい。プロセッサ31は、汎用プロセッサ、専用プロセッサ等でもよい。
【０４０９】
可能な設計では、メモリ32は命令33を記憶してもよい。命令33はプロセッサ31により実行されてもよく、それにより、装置1300は、アクセスネットワーク装置又は端末装置に対応する、上記の方法の実施形態に説明の方法を実行する。
【０４１０】
他の可能な設計では、装置1300は回路を含んでもよい。回路は、上記の方法の実施形態における送信、受信又は通信機能を実現してもよい。
【０４１１】
任意選択で、通信装置1300は、1つ以上のメモリ32を含んでもよい。メモリは命令33又は中間データを記憶する。命令33はプロセッサ31上で実行されてもよく、それにより、装置1300は、上記の実施形態におけるアクセスネットワーク装置又は端末装置により実行される方法を実行する。任意選択で、メモリは、他の関連データを更に記憶してもよい。任意選択で、プロセッサはまた、命令及び/又はデータを記憶してもよい。プロセッサ及びメモリは、別々に配置されてもよく或いは一緒に統合されてもよい。
【０４１２】
任意選択で、装置1300は、トランシーバ35を更に含んでもよい。プロセッサ31は、処理ユニットと呼ばれてもよい。トランシーバ35は、トランシーバユニット、トランシーバ機、トランシーバ回路、トランシーバ等と呼ばれてもよく、装置の送受信機能を実現するように構成される。
【０４１３】
或る設計では、装置(例えば、集積回路、無線デバイス、回路モジュール、ネットワークデバイス又は端末デバイス)は、プロセッサと、トランシーバとを含んでもよい。例えば、装置が図１０〜図１２に示す実施形態におけるアクセスネットワーク装置のステップ又は動作を実現するように構成されるとき、トランシーバ35は、指示情報を受信してもよく、アクセスネットワーク装置は、端末装置の無線能力情報を記憶し、指示情報は、端末装置の無線能力が変化したことを示すために使用されるか、或いは、アクセスネットワーク装置から端末装置の現在の無線能力を要求するために使用される。
【０４１４】
プロセッサ31は、指示情報に従って端末装置の現在の無線能力情報を取得するように構成される。
【０４１５】
任意選択で、トランシーバ35は、端末装置により送信された第1のメッセージを受信するように更に構成され、第1のメッセージは、無線リソース制御接続を再開することを要求するために使用され、第1のメッセージは指示情報を含む。
【０４１６】
任意選択で、トランシーバ35は、端末装置により送信された第2のメッセージを受信するように更に構成され、第2のメッセージは、無線リソース制御接続再開が完了したことを示すために使用され、第2のメッセージは指示情報を含む。
【０４１７】
任意選択で、トランシーバ35は、端末装置により送信された第3のメッセージを受信するように更に構成され、第3のメッセージは、無線リソース制御接続再開が確立されたことを示すために使用され、第3のメッセージは識別情報を含む。
【０４１８】
任意選択で、指示情報がアクセスネットワーク装置から端末装置の現在の無線能力を要求するために使用されるとき、トランシーバ35は、コアネットワーク装置により送信された指示情報を受信するように更に構成され、指示情報は、端末装置の無線能力が変化したことを示す。プロセッサ31は、指示情報に従ってアクセスネットワーク装置に記憶されている無線能力情報を更新するように更に構成される。
【０４１９】
任意選択で、プロセッサ31は、更新指示を受信するように更に構成され、更新指示は、アクセスネットワーク装置に対して、端末装置の無線能力情報を更新するように命令するために使用され、指示情報はコアネットワーク装置により送信される。
【０４２０】
任意選択で、プロセッサ31は、プロセッサが端末装置から無線能力情報を取得する前に記憶されている端末装置の無線能力情報を削除するように更に構成される。
【０４２１】
任意選択で、無線能力は、端末装置によりサポートされるシステム情報又は送受信能力のうち少なくとも1つを含む。
【０４２２】
任意選択で、プロセッサ31は、トランシーバ35を使用することにより、指示情報に従って無線能力要求メッセージを端末装置に送信し、第2の無線能力に基づいて端末装置の無線能力情報を更新するように更に構成される。第2の無線能力は端末装置の現在の無線能力である。
【０４２３】
任意選択で、プロセッサ31は、トランシーバ35を使用することにより、指示情報に従って無線能力要求メッセージを端末装置に送信し、第2の無線能力に基づいて端末装置の第1の無線能力情報を削除するように更に構成される。第2の無線能力は端末装置の現在の無線能力である。
【０４２４】
任意選択で、端末装置は、無線リソース一時停止状態又は無線リソース非アクティブ状態にある。
【０４２５】
或る設計では、装置(例えば、集積回路、無線デバイス、回路モジュール、ネットワークデバイス又は端末デバイス)は、プロセッサと、トランシーバとを含んでもよい。例えば、装置が図１３におけるアクセスネットワーク装置又は図１５における第1のアクセスネットワーク装置のステップ又は動作を実現するように構成されるとき、トランシーバ35は、無線リソース制御再開識別情報を受信してもよく、装置は、端末装置の無線能力情報を記憶する。
【０４２６】
プロセッサ31は、識別情報に基づいてアクセスネットワーク装置内の端末装置のコンテキストを処理するように構成される。
【０４２７】
任意選択で、プロセッサ31は、無線能力が端末装置から要求される前に記憶されている無線能力を削除するか、或いは、
トランシーバ35を使用することにより、指示メッセージを送信し、指示メッセージは、第2のアクセスネットワーク装置に対して、端末装置のコンテキストを削除するように命令するために使用され、第2のアクセスネットワーク装置は、端末装置が一時停止状態に入るときに端末装置によりアクセスされるアクセスネットワーク装置である、
ように更に構成される。
【０４２８】
任意選択で、トランシーバ35は、端末装置により送信された第3のメッセージを受信するように更に構成され、第3のメッセージは、無線リソース制御接続再開確立が完了したことを示すために使用され、第3のメッセージは指示情報を含む。
【０４２９】
任意選択で、プロセッサ31は、指示情報に従ってUEの無線能力要求を端末装置に送信し、トランシーバ35は、端末装置により報告されたUEの無線能力を受信する。
【０４３０】
或る設計では、装置(例えば、集積回路、無線デバイス、回路モジュール、ネットワークデバイス又は端末デバイス)は、プロセッサと、トランシーバとを含んでもよい。例えば、装置が図１０〜図１２における端末装置のステップ又は動作を実現するように構成されるとき、トランシーバ35は、指示情報をアクセスネットワーク装置に送信してもよい。指示情報は、端末装置の無線能力が変化したことを示すために使用されるか、或いは、アクセスネットワーク装置に対して、端末装置の無線能力を更新するように命令するために使用される。
【０４３１】
当該装置は、さらに、指示情報を生成してもよく、或いは、指示情報を決定してもよいことが理解されるべきである。
【０４３２】
任意選択で、トランシーバ35は、第1のメッセージをアクセスネットワーク装置に送信するように更に構成され、第1のメッセージは、無線リソース制御接続を再開することを要求するために使用され、第1のメッセージは指示情報を含む。
【０４３３】
任意選択で、トランシーバ35は、第2のメッセージをアクセスネットワーク装置に送信するように更に構成され、第2のメッセージは、無線リソース制御接続再開が完了したことを示すために使用され、第2のメッセージは指示情報を含む。
【０４３４】
任意選択で、トランシーバ35は、第3のメッセージをアクセスネットワーク装置に送信するように更に構成され、第3のメッセージは、無線リソース制御接続が確立されたことを示すために使用され、第3のメッセージは識別情報を含む。
【０４３５】
任意選択で、プロセッサ31は、データ無線ベアラを再開せずに、シグナリング無線ベアラ及びアクセス層のセキュリティを再開するように更に構成される。
【０４３６】
任意選択で、プロセッサ31は、トランシーバ35を使用することにより、アクセスネットワーク装置により送信されたデータ無線ベアラ構成を受信するように更に構成され、データ無線ベアラ構成に基づいてデータ無線ベアラのセキュリティを再開するように更に構成される。
【０４３７】
或る設計では、装置(例えば、集積回路、無線デバイス、回路モジュール、ネットワークデバイス又は端末デバイス)は、プロセッサと、トランシーバとを含んでもよい。例えば、装置が図１３又は図１５における端末装置のステップ又は動作を実現するように構成されるとき、プロセッサ31は、トランシーバ35を使用することにより、端末装置が一時停止状態にあり且つ端末装置の無線能力が変化したこと、又は端末装置が無線リソース制御非アクティブ状態にあり且つ端末装置の無線能力が変化したことに基づいて、無線リソース制御接続確立メッセージを開始してもよい。
【０４３８】
任意選択で、プロセッサ31は、装置の非アクセス層を使用することにより、装置のアクセス層に対して、トランシーバ35を使用することにより無線リソース制御接続確立メッセージを開始するようにトリガしてもよい。
【０４３９】
任意選択で、無線リソース制御接続確立メッセージは無線リソース再開識別情報を含む。
【０４４０】
任意選択で、無線リソース制御接続確立メッセージは指示情報を更に含み、指示情報は、端末装置の無線能力が変化したことを示すために使用されるか、或いは、端末装置の無線能力情報を更新するために使用される。
【０４４１】
或る設計では、装置(例えば、集積回路、無線デバイス、回路モジュール、ネットワークデバイス又は端末デバイス)は、プロセッサと、トランシーバとを含んでもよい。例えば、装置が図１２におけるコアネットワーク装置のステップ又は動作を実現するように構成されるとき、トランシーバ35は、指示情報をアクセスネットワーク装置に送信してもよい。指示情報は、端末装置の無線能力が変化したことを示すために使用されるか、或いは、アクセスネットワーク装置から端末装置の現在の無線能力を要求するために使用される。
【０４４２】
任意選択で、プロセッサ31は、端末装置が接続状態にあるとき、トランシーバ35を使用することにより指示情報をアクセスネットワーク装置に送信するように更に構成される。
【０４４３】
任意選択で、指示情報がアクセスネットワーク装置から端末装置の現在の無線能力を要求するために使用されるとき、トランシーバ35は、更新指示をアクセスネットワーク装置に送信するように更に構成され、更新指示は、アクセスネットワーク装置に対して、端末装置の無線能力情報を更新するように命令するために使用され、更新指示及び指示情報は同じメッセージで搬送される。
【０４４４】
任意選択で、指示情報が端末装置の無線能力が変化したことを示すために使用されるとき、指示情報は、アクセスネットワーク装置に対して、指示情報に従って端末装置の無線能力を更新するように命令するために更に使用される。
【０４４５】
この出願に記載のプロセッサ及びトランシーバは、集積回路(integrated  circuit,  IC)、アナログIC、無線周波数集積回路RFIC、ハイブリッド信号IC、特定用途向け集積回路(application  specific  integrated  circuit,  ASIC)、プリント回路基板(printed  circuit  board,  PCB)、電子デバイス等に実現されてもよい。プロセッサ及びトランシーバはまた、様々な1C技術、例えば、相補型金属酸化物半導体(complementary  metal  oxide  semiconductor,  CMOS)、Nチャネル金属酸化物半導体(nMetal-oxide-semiconductor,  NMOS)、Pチャネル金属酸化物半導体(positive  channel  metal  oxide  semiconductor,  PMOS)、バイポーラ接合トランジスタ(bipolar  junction  transistor,  BJT)、バイポーラCMOS(BiCMOS)、シリコンゲルマニウム(SiGe)及びガリウムヒ素(GaAs)を使用することにより製造されてもよい。
【０４４６】
上記の実施形態の説明において、装置1300は、アクセスネットワーク装置又は端末装置を例として使用することにより記載されているが、この出願に記載の装置はアクセスネットワーク装置又は端末装置に限定されず、装置の構造は図１９により限定されない。装置は独立したデバイスでもよく或いは比較的大型のデバイスの一部でもよい。例えば、装置は以下のものでもよい。
(1)独立した集積回路(IC)、チップ又はチップシステム若しくはサブシステム
(2)1つ以上のICを有するセットであり、任意選択で、ICセットがデータ及び/又は命令を記憶するように構成された記憶コンポーネントも含んでもよい、セット
(3)ASIC、例えば、モデム(MSM)
(4)他のデバイスに組み込まれることができるモジュール
(5)受信機、端末、携帯電話、無線装置、ハンドヘルド電話、移動ユニット、ネットワークデバイス等、並びに
(6)その他等
【０４４７】
さらに、この明細書における用語「システム」及び「ネットワーク」は、この明細書においてしばしば交換可能に使用されてもよい。この明細書における用語「及び/又は」は、関連するオブジェクトを記述するための関連付け関係のみを記述し、3つの関係が存在し得ることを表す。例えば、A及び/又はBは、以下の3つの場合、すなわち、Aのみが存在すること、A及びBの双方が存在すること、並びにBのみが存在することを表してもよい。さらに、この明細書における文字「/」は、一般的に関連するオブジェクトの間の「又は」の関係を示す。
【０４４８】
この出願の実施形態では、「Aに対応するB」は、BがAに関連すること、及びBがAに基づいて決定されてもよいことを示すことが理解されるべきである。しかし、Aに基づいてBを決定することは、BがAのみに基づいて決定されることを意味しないことが更に理解されるべきである。Bは、代替として、A及び/又は他の情報に基づいて決定されてもよい。
【０４４９】
この出願の実施形態における態様又は特徴は、標準的なプログラミング及び/又はエンジニアリング技術を使用する方法、装置又は製品として実現されてもよい。この出願において使用される用語「製品」は、いずれかのコンピュータ読み取り可能コンポーネント、担体又は媒体からアクセスできるコンピュータプログラムをカバーする。例えば、コンピュータ読み取り可能媒体は、磁気記憶コンポーネント(例えば、ハードディスク、フロッピーディスク又は磁気テープ)、光ディスク(例えば、コンパクトディスク(compact  disc,  CD)、デジタル多用途ディスク(digital  versatile  disc,  DVD))、スマートカード、及びフラッシュメモリコンポーネント(例えば、消去可能プログラム可能読み取り専用メモリ(erasable  programmable  read-only  memory,  EPROM)、カード、スティック又はキードライブ)を含んでもよいが、これらに限定されない。さらに、この明細書に記載の様々な記憶媒体は、情報を記憶するように構成された1つ以上のデバイス及び/又は他の機械読み取り可能媒体を表してもよい。用語「機械読み取り可能媒体」は、無線チャネル、及び命令及び/又はデータを記憶、包含及び/又は搬送できる様々な他の媒体を含んでもよいが、これらに限定されない。
【０４５０】
当業者は、この明細書に開示の実施形態に記載された例におけるユニット及びアルゴリズムステップと組み合わせて、実施形態が電子ハードウェア又はコンピュータソフトウェアと電子ハードウェアとの組み合わせにより実現されてもよいことを認識し得る。機能がハードウェアにより実行されるかソフトウェアにより実行されるかは、技術的解決策の特定の用途及び設計制約条件に依存する。当業者は、特定の用途毎に、記載の機能を実現するために異なる方法を使用し得るが、実現方式がこの出願の範囲を超えると考えられるべきでない。
【０４５１】
便宜的で簡潔な説明の目的で、上記のシステム、装置及びユニットの詳細な動作プロセスについては、上記の方法の実施形態における対応するプロセスを参照し、詳細については、ここでは再び説明しないことが、当業者により明確に理解され得る。
【０４５２】
この出願において提供されるいくつかの実施形態では、開示のシステム、装置及び方法は、他の方式で実現されてもよいことが理解されるべきである。例えば、ユニットの分割は、単なる論理的な機能分割であり、実際の実現方式では他の分割でもよい。例えば、複数のユニット又はコンポーネントは結合されてもよく或いは他のシステムに統合されてもよく、或いは、いくつかの特徴は無視されてもよく或いは実行されなくてもよい。さらに、表示又は議論された相互結合、直接結合又は通信接続は、いくつかのインタフェースを使用することにより実現されてもよい。装置又はユニットの間の間接結合又は通信接続は、電子的、機械的或いは他の形式で実現されてもよい。
【０４５３】
別個の部分として記載されたユニットは、物理的に分離されてもよく或いは分離されなくてもよく、ユニットとして表示された部分は、物理的ユニットでもよく或いは物理的ユニットでなくてもよく、1つの位置に配置されてもよく、或いは、複数のネットワークユニットに分散されてもよい。ユニットの一部又は全部は、実施形態における解決策の目的を達成するために、実際の要件に基づいて選択されてもよい。
【０４５４】
さらに、この出願の実施形態における機能ユニットは1つの処理ユニットに統合されてもよく、或いは、ユニットのそれぞれが物理的に単独で存在してもよく、或いは、2つ以上のユニットが1つのユニットに統合されてもよい。
【０４５５】
機能がソフトウェア機能ユニットの形式で実現され、独立した製品として販売又は使用されるとき、機能は、コンピュータ読み取り可能記憶媒体に記憶されてもよい。このような理解に基づいて、この出願の技術的解決策は本質的に、或いは、従来技術に寄与する部分又は技術的解決策のいくつかは、ソフトウェア製品の形式で実現されてもよい。コンピュータソフトウェア製品は記憶媒体に記憶され、コンピュータデバイス(パーソナルコンピュータ、サーバ、ネットワークデバイス等でもよい)に対して、この出願の実施形態に記載の方法の全部又は一部のステップを実行するように命令するためのいくつかの命令を含む。上記の記憶媒体は、USBフラッシュドライブ、取り外し可能ハードディスク、読み取り専用メモリ(read-only  memory,  ROM)、ランダムアクセスメモリ(random  access  memory,  RAM)、磁気ディスク又は光ディスクのようなプログラムコードを記憶できるいずれかの媒体を含む。
【０４５６】
上記の説明は、この出願の単なる具体的な実現方式であり、この出願の保護範囲を限定することを意図しない。この出願に開示された技術的範囲内で当業者により容易に理解される如何なる変更又は置換も、この出願の保護範囲に入るものとする。したがって、この出願の保護範囲は、特許請求の範囲の保護範囲に従うものとする。
【図１】
2021534659.tif 000003
【図２】
2021534659.tif 000004
【図３】
2021534659.tif 000005
【図４】
2021534659.tif 000006
【図５】
2021534659.tif 000007
【図６】
2021534659.tif 000008
【図７】
2021534659.tif 000009
【図８】
2021534659.tif 000010
【図９】
2021534659.tif 000011
【図１０】
2021534659.tif 000012
【図１１】
2021534659.tif 000013
【図１２】
2021534659.tif 000014
【図１３】
2021534659.tif 000015
【図１４】
2021534659.tif 000016
【図１５】
2021534659.tif 000017
【図１６】
2021534659.tif 000018
【図１７】
2021534659.tif 000019
【図１８】
2021534659.tif 000020
【図１９】
2021534659.tif 000021
【手続補正書】
【提出日】令和3年3月22日(2021.3.22)
【手続補正１】
【補正対象書類名】特許請求の範囲
【補正対象項目名】全文
【補正方法】変更
【補正の内容】
【特許請求の範囲】
【請求項１】
端末装置の無線能力の変化を処理するための方法であって、
アクセスネットワーク装置により、指示情報を受信するステップであり、前記アクセスネットワーク装置は、端末装置の無線能力情報を記憶し、前記指示情報は、前記端末装置の無線能力が変化したことを示すために使用されるか、或いは、前記アクセスネットワーク装置から前記端末装置の現在の無線能力を要求するために使用される、ステップと、
前記アクセスネットワーク装置により、前記指示情報に従って前記端末装置の無線能力情報を取得するステップと
を含む方法。
【請求項２】
アクセスネットワーク装置により、指示情報を受信するステップは、
前記アクセスネットワーク装置により、前記端末装置により送信された第1のメッセージを受信するステップであり、前記第1のメッセージは、無線リソース制御接続を再開することを要求するために使用され、前記第1のメッセージは前記指示情報を含む、ステップ、又は
前記アクセスネットワーク装置により、前記端末装置により送信された第2のメッセージを受信するステップであり、前記第2のメッセージは、無線リソース制御接続再開が完了したことを示すために使用され、前記第2のメッセージは前記指示情報を含む、ステップ、又は
前記アクセスネットワーク装置により、前記端末装置により送信された第3のメッセージを受信するステップであり、前記第3のメッセージは、無線リソース制御接続が確立されたことを示すために使用され、前記第3のメッセージは前記指示情報を含む、ステップ
を含む、請求項１に記載の方法。
【請求項３】
アクセスネットワーク装置により、指示情報を受信するステップは、
前記アクセスネットワーク装置により、コアネットワーク装置により送信された前記指示情報を受信するステップであり、前記指示情報は、前記端末装置の前記無線能力が変化したことを示すために使用される、ステップと、
前記アクセスネットワーク装置により、前記指示情報に従って、前記アクセスネットワーク装置により記憶されている前記無線能力情報を更新するステップと
を含む、請求項１に記載の方法。
【請求項４】
前記指示情報が、前記アクセスネットワーク装置から前記端末装置の前記現在の無線能力を要求するために使用されるとき、当該方法は、
コアネットワーク装置により、前記指示情報を送信し、前記アクセスネットワーク装置により、更新指示を受信するステップであり、前記更新指示は、前記アクセスネットワーク装置に対して、前記端末装置の前記無線能力情報を更新するように命令するために使用される、ステップを更に含む、請求項１に記載の方法。
【請求項５】
端末装置の無線能力の変化を処理するための方法であって、
端末装置により、前記端末装置が一時停止状態にあり且つ前記端末装置の無線能力が変化したこと、又は前記端末装置が無線リソース制御非アクティブ状態にあり且つ前記端末装置の無線能力が変化したことに基づいて、無線リソース制御接続確立メッセージを開始するステップを含む方法。
【請求項６】
端末装置により、前記端末装置が一時停止状態にあり且つ前記端末装置の無線能力が変化したこと、又は前記端末装置が無線リソース制御非アクティブ状態にあり且つ前記端末装置の無線能力が変化したことに基づいて、無線リソース制御接続確立メッセージを開始するステップは、
前記端末装置の非アクセス層により、アクセス層に対して、前記無線リソース制御接続確立メッセージを開始するように命令するステップを含む、請求項５に記載の方法。
【請求項７】
前記無線リソース制御接続確立メッセージは無線リソース再開識別情報を含む、請求項５又は６に記載の方法。
【請求項８】
前記無線リソース制御接続確立メッセージは指示情報を更に含み、前記指示情報は、前記端末装置の前記無線能力が変化したことを示すために使用されるか、或いは、アクセスネットワーク装置から前記端末装置の現在の無線能力を要求するために使用される、請求項７に記載の方法。
【請求項９】
端末装置の無線能力の変化を処理するための方法であって、
コアネットワーク装置により、指示情報をアクセスネットワーク装置に送信するステップであり、前記指示情報は、端末装置の無線能力が変化したことを示すために使用されるか、或いは、前記アクセスネットワーク装置から端末装置の現在の無線能力を要求するために使用される、ステップを含む方法。
【請求項１０】
コアネットワーク装置により、指示情報をアクセスネットワーク装置に送信するステップは、
前記コアネットワーク装置により、前記端末装置が接続状態にあるとき、前記指示情報を前記アクセスネットワーク装置に送信するステップを含む、請求項９に記載の方法。
【請求項１１】
当該方法は、
前記指示情報が前記アクセスネットワーク装置から前記端末装置の前記現在の無線能力を要求するために使用されるとき、前記コアネットワーク装置により、更新指示を前記アクセスネットワーク装置に送信するステップであり、前記更新指示は、前記アクセスネットワーク装置に対して、前記端末装置の無線能力情報を更新するように命令するために使用される、ステップを更に含む、請求項９又は１０に記載の方法。
【請求項１２】
前記指示情報が前記端末装置の前記無線能力が変化したことを示すために使用されるとき、前記指示情報は、前記アクセスネットワーク装置に対して、前記指示情報に従って前記端末装置の前記無線能力を更新するように命令するために更に使用される、請求項９又は１０に記載の方法。
【請求項１３】
請求項１乃至４のうちいずれか１項に記載の方法を実行するための手段を含むアクセスネットワーク装置。
【請求項１４】
請求項５乃至８のうちいずれか１項に記載の方法を実行するための手段を含む端末装置。
【請求項１５】
請求項９乃至１２のうちいずれか１項に記載の方法を実行するための手段を含むコアネットワーク装置。
【国際調査報告】
2021534659.tif 000022
2021534659.tif 000023
2021534659.tif 000024
2021534659.tif 000025